【事件の表示】
　特許第５９６０３５８号発明「電子蒸気供給装置」の特許異議申立事件について，次のとおり決定する。
【結　論】
　特許第５９６０３５８号の明細書及び特許請求の範囲を訂正請求書に添付された訂正明細書及び特許請求の範囲のとおり，訂正後の請求項〔１−２７〕について訂正することを認める。
　特許第５９６０３５８号の請求項１，２，６〜１７，２２，２５〜２７に係る特許を取り消す。
　特許第５９６０３５８号の請求項１８〜２１，２３，２４に係る特許を維持する。
　特許第５９６０３５８号の請求項３〜５に係る特許についての特許異議の申立てを却下する。
【理　由】
第１　手続の経緯
　１　特許第５９６０３５８号の請求項１〜２７に係る特許（以下「本件特許」という。）についての出願は，２０１３年７月１５日（パリ条約による優先権主張外国庁受理：２０１２年７月１６日，英国）を国際出願日とする出願であって，平成２８年７月１日に特許権の設定登録がなされ，平成２８年８月２日に特許掲載公報が発行されたところ，平成２９年２月２日に特許異議申立人飯田進により特許異議の申立てがなされた。
　２　平成２９年４月１３日付けで取消理由を通知したところ，特許権者から平成２９年７月１８日付けで意見書及び訂正請求書が提出され，特許異議申立人から平成２９年８月２５日付けで意見書が提出された。
　３　平成２９年１０月５日付けで取消理由（決定の予告）を通知したところ，特許権者から平成３０年１月９日付けで意見書及び訂正請求書が提出され，特許異議申立人から平成３０年２月１６日付けで意見書が提出された。
　４　以下，平成３０年１月９日付け訂正請求書を「本件訂正請求書」といい，これに係る訂正を「本件訂正」という。なお，平成２９年７月１８日付け訂正請求書は，取り下げられたものとみなす（特許法１２０条の５第７項）。
第２　本件訂正の適否
　１　本件訂正の内容
　本件訂正の請求は，特許第５９６０３５８号の明細書及び特許請求の範囲を，本件訂正請求書に添付した訂正明細書及び特許請求の範囲のとおり，訂正後の請求項１〜２７について訂正することを求めるものであって，その訂正の内容は次のとおりである（下線は訂正箇所を示す。）。 
　　（１）　請求項１について（訂正事項１〜５）
　本件訂正前の請求項１の，「この気化器は・・・加熱エレメント支持体とを含み，」の後に「
加熱エレメントは加熱エレメント支持体の支持体外面の上に位置し，
の支持体外面
前記加熱エレメント支持体は，多孔性セラミック材を含む硬質の支持体である
　　（２）　請求項３について（訂正事項６）
　請求項３を削除する。
　　（３）　請求項４について（訂正事項７）
　請求項４を削除する。
　　（４）　請求項５について（訂正事項８）
　請求項５を削除する。
　　（５）　請求項６について（訂正事項９）
　本件訂正前の請求項６の「請求項１乃至５いずれか」を，「
請求項１又は２に
　　（６）　請求項９について（訂正事項１０）
　本件訂正前の請求項９の「請求項１乃至８」を，「
請求項１，２，６乃至８
　　（７）　請求項１１について（訂正事項１１）
　本件訂正前の請求項１１の「請求項１乃至１０」を，「
請求項１，２，６乃至１０
　　（８）　請求項１２について（訂正事項１２）
　本件訂正前の請求項１２の「請求項１乃至１１」を，「
請求項１，２，６乃至１１
　　（９）　請求項１８について（訂正事項１３〜１５）
　本件訂正前の請求項１８の，「前記加熱エレメント支持体の断面形状は楕円形である」の前に，「
動力電池と気化器とを含み，この気化器は加熱エレメントと該加熱エレメントを支持するように構成された加熱エレメント支持体とを含み，加熱エレメントは加熱エレメント支持体の支持体外面の上に位置し，１つ以上の隙間が加熱エレメントと加熱エレメント支持体の支持体外面との間に設けられており，前記加熱エレメント支持体は長手方向に細長いものであり，
特徴とする
　　（１０）　請求項１９について（訂正事項１６〜１８）
　本件訂正前の請求項１９の，「前記加熱エレメント支持体の断面形状は３つの円が重なって一緒になったものと等しい」の前に，「
動力電池と気化器とを含み，この気化器は加熱エレメントと該加熱エレメントを支持するように構成された加熱エレメント支持体とを含み，加熱エレメントは加熱エレメント支持体の支持体外面の上に位置し，１つ以上の隙間が加熱エレメントと加熱エレメント支持体の支持体外面との間に設けられており，前記加熱エレメント支持体は長手方向に細長いものであり，
特徴とする
　　（１１）　請求項２０について（訂正事項１９〜２１）
　本件訂正前の請求項２０の，「前記加熱エレメント支持体の断面形状は十字形状である」の前に，「
動力電池と気化器とを含み，この気化器は加熱エレメントと該加熱エレメントを支持するように構成された加熱エレメント支持体とを含み，加熱エレメントは加熱エレメント支持体の支持体外面の上に位置し，１つ以上の隙間が加熱エレメントと加熱エレメント支持体の支持体外面との間に設けられており，前記加熱エレメント支持体は長手方向に細長いものであり，
特徴とする
　　（１２）　請求項２１について（訂正事項２２〜２５）
　本件訂正前の請求項２１の，「前記十字形状は４本の腕部または８本の腕部を有する」の前に，「
動力電池と気化器とを含み，この気化器は加熱エレメントと該加熱エレメントを支持するように構成された加熱エレメント支持体とを含み，加熱エレメントは加熱エレメント支持体の支持体外面の上に位置し，１つ以上の隙間が加熱エレメントと加熱エレメント支持体の支持体外面との間に設けられており，前記加熱エレメント支持体は長手方向に細長いものであり，前記加熱エレメント支持体の断面形状は十字形状であり，
特徴とする
　　（１３）　請求項２２について（訂正事項２６）
　本件訂正前の請求項２２の「請求項１乃至１１」を，「
請求項１，２，６乃至１１
　　（１４）　請求項２３について（訂正事項２７〜２９）
　本件訂正前の請求項２３の，「前記加熱エレメントは加熱エレメント支持体を通り抜けている」の前に，「
動力電池と気化器とを含み，この気化器は加熱エレメントと該加熱エレメントを支持するように構成された加熱エレメント支持体とを含み，加熱エレメントは加熱エレメント支持体の支持体外面の上に位置し，１つ以上の隙間が加熱エレメントと加熱エレメント支持体の支持体外面との間に設けられており，前記加熱エレメント支持体は平坦な基板であり，
特徴とする
　　（１５）　請求項２４について（訂正事項３０〜３２）
　本件訂正前の請求項２４の，「前記加熱エレメントは加熱エレメント支持体に包まれている」の前に，「
動力電池と気化器とを含み，この気化器は加熱エレメントと該加熱エレメントを支持するように構成された加熱エレメント支持体とを含み，加熱エレメントは加熱エレメント支持体の支持体外面の上に位置し，１つ以上の隙間が加熱エレメントと加熱エレメント支持体の支持体外面との間に設けられており，前記加熱エレメント支持体は平坦な基板であり，
特徴とする
　　（１６）　請求項２６について（訂正事項３３）
　本件訂正前の請求項２６の「請求項１乃至２５」を，「
請求項１，２，６乃至２５
　　（１７）　請求項２７について（訂正事項３４〜３９）
　本件訂正前の請求項２７の，「加熱エレメントと加熱エレメント支持体とを含み，」の後に「
加熱エレメントは加熱エレメント支持体の支持体外面の上に位置し，
の支持体外面
前記加熱エレメント支持体は，多孔性セラミック材を含む硬質の支持体である，
請求項１，２，６乃至２６
 　　（１８）　本件特許明細書について（訂正事項４０及び４１）
 　本件特許明細書【０００３】の「ある実施態様では動力電池と気化器とを含む電子蒸気供給装置が提供され，この気化器は加熱エレメントと加熱エレメント支持体とを含み，隙間が加熱エレメントと加熱エレメント支持体との間に設けられている。加熱エレメントは加熱エレメント支持体の外側にあってもよい。さらに加熱エレメント支持体は支持外方面を有してもよく，隙間を加熱エレメントと支持外方面との間に設けてもよい。さらに加熱エレメントと加熱エレメント支持体は，加熱ロッドを形成してもよい。」を，「ある実施態様では動力電池と気化器とを含む電子蒸気供給装置が提供され，この気化器は加熱エレメントと加熱エレメント支持体とを含み，隙間が加熱エレメントと加熱エレメント支持体との間に設けられている。加熱エレメントは加熱エレメント支持体の外側にあってもよい。さらに加熱エレメント支持体は
支持体外面
支持体外面
支持体外面
支持体外面
　２　本件訂正の適否について
　　（１）　請求項１について
　　　ア　訂正事項１及び３について
 　訂正事項１及び３は，本件訂正前の請求項１の「前記加熱エレメントは前記加熱エレメント支持体の支持外方面に位置し，」との記載が明瞭でなかったところ（後記第４・５），より明瞭にしようとするものであるから，明瞭でない記載の釈明を目的とするものである。
　そして，本件特許明細書には，「支持体２０は加熱エレメントコイル２３の螺旋内に同軸に配置され，・・・。円筒状支持体２０の直径は螺旋の内径とほぼ同じである。その結果，コイル２３のワイヤーは支持体２０と実質的に接触し，これにより支持され，・・・。加熱エレメントコイル２３は，加熱エレメント支持体２０の周りにコイル状に巻かれる，・・・。」（【００４１】），「１つ以上の隙間８０が支持体２０の外面２８とコイル２３のワイヤの間に設けられている。」（【００７７】）と記載され，図６，８，１０等において，支持体２０の外面に加熱エレメントコイル２３がコイル状に巻かれた構造が記載されている。
　そうすると，訂正事項１及び３に係る本件訂正は，新規事項を追加するものではなく，また，実質上特許請求の範囲を拡張，又は変更するものではない。 
　　　イ　訂正事項２及び４について 
 　訂正事項２及び４は，請求項１における「１つ以上の隙間」が設けられる部位に関し，本件訂正前の「１つ以上の隙間が加熱エレメントと加熱エレメント支持体との間に設けられており，」，「前記１つ以上の隙間が加熱エレメントと支持外方面との間に設けられている」との記載が明瞭でなかったところ（後記第４・５），より明瞭にしようとするものであるから，明瞭でない記載の釈明を目的とするものである。 
　そして，本件特許明細書には「１つ以上の隙間８０が支持体２０の外面２８とコイル２３のワイヤの間に設けられている。」（【００７７】）と記載されているから，訂正事項２及び４に係る本件訂正は，新規事項を追加するものではなく，また，実質上特許請求の範囲を拡張，又は変更するものではない。 
　　　ウ　訂正事項５について 
　訂正事項５は，請求項１における「加熱エレメント支持体」の材質について，「前記加熱エレメント支持体は，多孔性セラミック材を含む硬質の支持体である」と特定するものであるから，特許請求の範囲の減縮を目的とするものである。
　そして，本件訂正前の請求項３〜５に，それぞれ，「前記加熱エレメント支持体は，硬質の支持体であることを特徴とする請求項１または２記載の電子蒸気供給装置。」，「前記加熱エレメント支持体は多孔性であることを特徴とする請求項１乃至３いずれか１項記載の電子蒸気供給装置。」，「前記加熱エレメント支持体は多孔性セラミック材を含むことを特徴とする請求項４記載の電子蒸気供給装置。」と記載されているから，訂正事項５に係る本件訂正は，新規事項を追加するものではなく，また，実質上特許請求の範囲を拡張，又は変更するものではない。
　　（２）　請求項３〜５について
　訂正事項６〜８は，請求項３〜５を削除するものであるから，特許請求の範囲の減縮を目的とするものである。 
　そして，新規事項を追加するものではなく，また，実質上特許請求の範囲を拡張，又は変更するものではない。
　　（３）　請求項６，９，１１，１２，２２及び２６について
　訂正事項９〜１２，２６及び３３は，訂正事項６〜８により請求項３〜５を削除することに伴い，請求項６，９，１１，１２，２２及び２６において引用する請求項を減ずるものであるから，特許請求の範囲の減縮を目的とするものである。 
　そして，新規事項を追加するものではなく，また，実質上特許請求の範囲を拡張，又は変更するものではない。
　　（４）　請求項１８〜２１について
　　　ア　本件訂正前の請求項１８〜２０は，本件訂正前の請求項１〜１１を引用する請求項１２について引用するものであるが，訂正事項１３〜２１は，これを本件訂正前の請求項１を引用する請求項１２について引用するものに限定し，さらに本件訂正前の請求項１に係る事項について訂正事項１〜４に係る訂正と同様の訂正をした上で，請求項１２を引用しないものとするものであるから，特許請求の範囲の減縮，明瞭でない記載の釈明，他の請求項の記載を引用する請求項の記載を当該他の請求項の記載を引用しないものとすることを目的とするものである。
　　　イ　本件訂正前の請求項２１は，本件訂正前の請求項２０を引用するものであるが，訂正事項２２〜２５は，これを本件訂正前の請求項１を引用する請求項１２を引用する請求項２０について引用するものに限定し，さらに本件訂正前の請求項１に係る事項について訂正事項１〜４に係る訂正と同様の訂正をした上で，請求項２０を引用しないものとするものであるから，特許請求の範囲の減縮，明瞭でない記載の釈明，他の請求項の記載を引用する請求項の記載を当該他の請求項の記載を引用しないものとすることを目的とするものである。
　　　ウ　そして，新規事項を追加するものではなく，また，実質上特許請求の範囲を拡張，又は変更するものではない。
　　（５）　請求項２３，２４について
　本件訂正前の請求項２３，２４は，本件訂正前の請求項１〜１１を引用する請求項２２について引用するものであるが，訂正事項２７〜３２は，これを本件訂正前の請求項１を引用する請求項２２について引用するものに限定し，さらに本件訂正前の請求項１に係る事項について訂正事項１〜４に係る訂正と同様の訂正をした上で，請求項２２を引用しないものとするものであるから，特許請求の範囲の減縮，明瞭でない記載の釈明，他の請求項の記載を引用する請求項の記載を当該他の請求項の記載を引用しないものとすることを目的とするものである。
　　（６）　請求項２７について
　　　ア　訂正事項３４及び３６について
　訂正事項３４及び３６は，本件訂正前の請求項２７の「前記加熱エレメントは前記加熱エレメント支持体の支持外方面に位置し，」との記載が明瞭でなかったところ（後記第４・５），より明瞭にしようとするものであるから，明瞭でない記載の釈明を目的とするものである。 
　そして，本件特許明細書には，「支持体２０は加熱エレメントコイル２３の螺旋内に同軸に配置され，・・・。円筒状支持体２０の直径は螺旋の内径とほぼ同じである。その結果，コイル２３のワイヤーは支持体２０と実質的に接触し，これにより支持され，・・・。加熱エレメントコイル２３は，加熱エレメント支持体２０の周りにコイル状に巻かれる，・・・。」（【００４１】），「１つ以上の隙間８０が支持体２０の外面２８とコイル２３のワイヤの間に設けられている。」（【００７７】）と記載され，図６，８，１０等において，支持体２０の外面に加熱エレメントコイル２３がコイル状に巻かれた構造が記載されている。 
　そうすると，訂正事項３４及び３６に係る本件訂正は，新規事項を追加するものではなく，また，実質上特許請求の範囲を拡張，又は変更するものではない。 
　　　イ　訂正事項３５及び３７について 
 　訂正事項３５及び３７は，請求項２７における「１つ以上の隙間」が設けられる部位に関し，本件訂正前の「１つ以上の隙間が加熱エレメントと加熱エレメント支持体との間に設けられており，」，「前記１つ以上の隙間が加熱エレメントと支持外方面との間に設けられている」との記載が明瞭でなかったところ（後記第４・５），より明瞭にしようとするものであるから，明瞭でない記載の釈明を目的とするものである。 
　そして，本件特許明細書には「１つ以上の隙間８０が支持体２０の外面２８とコイル２３のワイヤの間に設けられている。」（【００７７】）と記載されているから，訂正事項３５及び３７に係る本件訂正は，新規事項を追加するものではなく，また，実質上特許請求の範囲を拡張，又は変更するものではない。 
　　　ウ　訂正事項３８について 
　訂正事項３８は，請求項２７における「加熱エレメント支持体」の材質について，「前記加熱エレメント支持体は，多孔性セラミック材を含む硬質の支持体である」と特定するものであるから，特許請求の範囲の減縮を目的とするものである。 
　そして，本件訂正前の請求項３〜５に，それぞれ，「前記加熱エレメント支持体は，硬質の支持体であることを特徴とする請求項１または２記載の電子蒸気供給装置。」，「前記加熱エレメント支持体は多孔性であることを特徴とする請求項１乃至３いずれか１項記載の電子蒸気供給装置。」，「前記加熱エレメント支持体は多孔性セラミック材を含むことを特徴とする請求項４記載の電子蒸気供給装置。」と記載されているから，訂正事項３８に係る本件訂正は，新規事項を追加するものではなく，また，実質上特許請求の範囲を拡張，又は変更するものではない。
　　　エ　訂正事項３９について
　訂正事項３９は，訂正事項６〜８により請求項３〜５を削除することに伴い，引用する請求項を減ずるものであるから，特許請求の範囲の減縮を目的とするものである。
　そして，新規事項を追加するものではなく，また，実質上特許請求の範囲を拡張，又は変更するものではない。
　　（７）　本件特許明細書について
　訂正事項４０及び４１は，特許明細書の【０００３】，【００１１】の記載において，「支持外方面」との記載に関し明瞭でなかったところ（後記第４・４），より明瞭にしようとするものであるから，明瞭でない記載の釈明を目的とするものである。 
　そして，本件特許明細書には，「１つ以上の隙間８０が支持体２０の外面２８とコイル２３のワイヤの間に設けられている。」（【００７７】）と記載され，図６，８，１０等において，支持体２０の外面に加熱エレメントコイル２３がコイル状に巻かれた構造が記載されている。 
　そうすると，訂正事項４０及び４１に係る本件訂正は，新規事項を追加するものではなく，また，実質上特許請求の範囲を拡張，又は変更するものではない。 
　　（８）　さらに，本件訂正は一群の請求項ごとに請求されたものである。 
　　（９）　以上のとおりであるから，本件訂正は特許法１２０条の５第２項ただし書１号，３号及び４号に掲げる事項を目的とするものであって，同条４項，並びに同条９項において準用する同法１２６条５項及び６項の規定に適合するので，訂正特許請求の範囲のとおり，訂正後の請求項〔１−２７〕について訂正することを認める。
第３　本件発明
　前記第２のとおり本件訂正は認められるから，本件特許の請求項１〜２７に係る発明は，特許請求の範囲の請求項１〜２７に記載された事項により特定される次のとおりである。以下，本件特許に係る発明を請求項の番号に従って，「本件発明１」などといい，総称して「本件発明」という。
　【請求項１】
　動力電池と気化器とを含み，この気化器は加熱エレメントと該加熱エレメントを支持するように構成された加熱エレメント支持体とを含み，加熱エレメントは加熱エレメント支持体の支持体外面の上に位置し，１つ以上の隙間が加熱エレメントと加熱エレメント支持体の支持体外面との間に設けられており，前記加熱エレメント支持体は，多孔性セラミック材を含む硬質の支持体である電子蒸気供給装置。
　【請求項２】
　前記加熱エレメントと加熱エレメント支持体は，加熱ロッドを形成することを特徴とする請求項１記載の電子蒸気供給装置。
　【請求項３】
　（削除）
　【請求項４】
　（削除）
　【請求項５】
　（削除）
　【請求項６】
　前記加熱エレメントは加熱コイルであることを特徴とする請求項１又は２に記載の電子蒸気供給装置。
　【請求項７】
　前記加熱コイルは加熱エレメント支持体の周りに螺旋状に巻かれていることを特徴とする請求項６記載の電子蒸気供給装置。
　【請求項８】
　コイルターンと加熱エレメント支持体との間に前記１つ以上の隙間があることを特徴とする請求項６または７記載の電子蒸気供給装置。
　【請求項９】
　前記気化器は，使用の際，負圧領域になるように構成されている気化キャビティーをさらに含むことを特徴とする請求項１，２，６乃至８いずれか１項記載の電子蒸気供給装置。
　【請求項１０】
　前記加熱エレメントの少なくとも一部は，気化キャビティーの内側にあることを特徴とする請求項９記載の電子蒸気供給装置。
　【請求項１１】
　マウスピースセクションを含み，前記気化器はマウスピースセクションの一部であることを特徴とする請求項１，２，６乃至１０いずれか１項記載の電子蒸気供給装置。
　【請求項１２】
　前記加熱エレメント支持体は長手方向に細長いものであることを特徴とする請求項１，２，６乃至１１いずれか１項記載の電子蒸気供給装置。
　【請求項１３】
　前記加熱エレメント支持体はこれに沿って長手方向に延びた１つ以上の側部流路を有することを特徴とする請求項１２記載の電子蒸気供給装置。
　【請求項１４】
　前記加熱エレメント支持体は，これに沿って長手方向に延びた側部流路を２つ以上含み，これら側部流路は，加熱エレメント支持体の周りに実質的に均一に配分されていることを特徴とする請求項１３記載の電子蒸気供給装置。
　【請求項１５】
　前記加熱エレメント支持体は窪んだ表面を有することを特徴とする請求項１２記載の電子蒸気供給装置。
　【請求項１６】
　前記加熱エレメント支持体の断面形状は多角形であることを特徴とする請求項１２記載の電子蒸気供給装置。
　【請求項１７】
　前記多角形は幅の狭い矩形であることを特徴とする請求項１６記載の電子蒸気供給装置。
　【請求項１８】
　動力電池と気化器とを含み，この気化器は加熱エレメントと該加熱エレメントを支持するように構成された加熱エレメント支持体とを含み，加熱エレメントは加熱エレメント支持体の支持体外面の上に位置し，１つ以上の隙間が加熱エレメントと加熱エレメント支持体の支持体外面との間に設けられており，前記加熱エレメント支持体は長手方向に細長いものであり，前記加熱エレメント支持体の断面形状は楕円形であることを特徴とする電子蒸気供給装置。
　【請求項１９】
　動力電池と気化器とを含み，この気化器は加熱エレメントと該加熱エレメントを支持するように構成された加熱エレメント支持体とを含み，加熱エレメントは加熱エレメント支持体の支持体外面の上に位置し，１つ以上の隙間が加熱エレメントと加熱エレメント支持体の支持体外面との間に設けられており，前記加熱エレメント支持体は長手方向に細長いものであり，前記加熱エレメント支持体の断面形状は３つの円が重なって一緒になったものと等しいことを特徴とする電子蒸気供給装置。
　【請求項２０】
　動力電池と気化器とを含み，この気化器は加熱エレメントと該加熱エレメントを支持するように構成された加熱エレメント支持体とを含み，加熱エレメントは加熱エレメント支持体の支持体外面の上に位置し，１つ以上の隙間が加熱エレメントと加熱エレメント支持体の支持体外面との間に設けられており，前記加熱エレメント支持体は長手方向に細長いものであり，前記加熱エレメント支持体の断面形状は十字形状であることを特徴とする電子蒸気供給装置。
　【請求項２１】
　動力電池と気化器とを含み，この気化器は加熱エレメントと該加熱エレメントを支持するように構成された加熱エレメント支持体とを含み，加熱エレメントは加熱エレメント支持体の支持体外面の上に位置し，１つ以上の隙間が加熱エレメントと加熱エレメント支持体の支持体外面との間に設けられており，前記加熱エレメント支持体は長手方向に細長いものであり，前記加熱エレメント支持体の断面形状は十字形状であり，前記十字形状は４本の腕部または８本の腕部を有することを特徴とする電子蒸気供給装置。
　【請求項２２】
　前記加熱エレメント支持体は平坦な基板であることを特徴とする請求項１，２，６乃至１１いずれか１項記載の電子蒸気供給装置。
　【請求項２３】
　動力電池と気化器とを含み，この気化器は加熱エレメントと該加熱エレメントを支持するように構成された加熱エレメント支持体とを含み，加熱エレメントは加熱エレメント支持体の支持体外面の上に位置し，１つ以上の隙間が加熱エレメントと加熱エレメント支持体の支持体外面との間に設けられており，前記加熱エレメント支持体は平坦な基板であり，前記加熱エレメントは加熱エレメント支持体を通り抜けていることを特徴とする電子蒸気供給装置。
　【請求項２４】
　動力電池と気化器とを含み，この気化器は加熱エレメントと該加熱エレメントを支持するように構成された加熱エレメント支持体とを含み，加熱エレメントは加熱エレメント支持体の支持体外面の上に位置し，１つ以上の隙間が加熱エレメントと加熱エレメント支持体の支持体外面との間に設けられており，前記加熱エレメント支持体は平坦な基板であり，前記加熱エレメントは加熱エレメント支持体に包まれていることを特徴とする電子蒸気供給装置。
　【請求項２５】
　前記加熱エレメント支持体は穴を有する基板であることを特徴とする請求項２２，２３または２４記載の電子蒸気供給装置。
　【請求項２６】
　さらに液体貯蔵部と，
　液体を液体貯蔵部から液体を気化させるための加熱エレメントに吸い上げるように構成された吸い上げエレメントと，
　加熱エレメントから気化された液体が通過する空気出口とを含み，
　前記動力電池が前記加熱エレメントに動力を与えるためのものであることを特徴とする請求項１，２，６乃至２５いずれか１項記載の電子蒸気供給装置。
　【請求項２７】
　加熱エレメントと加熱エレメント支持体とを含み，
　加熱エレメントは加熱エレメント支持体の支持体外面の上に位置し，
　１つ以上の隙間が加熱エレメントと該加熱エレメントを支持するように構成された加熱エレメント支持体の支持体外面との間に設けられており，
　前記加熱エレメント支持体は，多孔性セラミック材を含む硬質の支持体である，請求項１，２，６乃至２６いずれか１項記載の電子蒸気供給装置に使用される気化器。
第４　取消理由の概要
　本件訂正前の本件特許に対し通知した取消理由は，概ね，次のとおりである。
　１　本件発明は，本件特許の優先日前に日本国内又は外国において頒布された甲３，９号証に記載された発明であって，特許法２９条１項３号に該当し，特許を受けることができないから，その発明に係る特許は取り消すべきものである。
　２　本件発明は，本件特許の優先日前に日本国内又は外国において頒布された甲１，３，９号証に記載された発明に基いて，その優先日前にその発明の属する技術の分野における通常の知識を有する者が容易に発明をすることができたものであって，特許法２９条２項の規定により特許を受けることができないから，その発明に係る特許は取り消すべきものである。
　３　本件発明１〜１７，１９〜２２，２４，２６，２７は，その優先日前の特許出願であって，その出願後に特許掲載公報の発行又は出願公開がされた甲１４号証に係る特許出願の願書に最初に添付された明細書，特許請求の範囲又は図面に記載された発明と同一であり，しかも，本件特許の出願の発明者が上記特許出願に係る上記の発明をした者と同一ではなく，また本件特許の出願の時において，その出願人が上記特許出願の出願人と同一でもないので，特許法２９条の２の規定により，特許を受けることができないから，その発明に係る特許は取り消すべきものである。
　４　本件特許は，発明の詳細な説明の記載が「支持外方面」に関する点で不備のため，特許法３６条４項１号に規定する要件を満たしていない特許出願に対してなされたものであり，取り消すべきものである。
　５　本件特許は，特許請求の範囲の記載が「支持外方面」に関する点で不備のため，特許法３６条６項２号に規定する要件を満たしていない特許出願に対してなされたものであり，取り消すべきものである。
　（甲号証）
　甲１号証：国際公開第２０１２／０８５２０７号
　甲２号証：特表２０１４−５０１１０７号公報
　甲３号証：特表２００９−５３７１１９号公報
　甲４号証：特開２０１２−２９６３３号公報
　甲５号証：特表２００８−５４４８３４号公報
　甲６号証：特開２０１２−１３２４７号公報
　甲７号証：実願平３−１１３７５６号（実開平５−４８９４４号）のＣＤ−ＲＯＭ
　甲８号証：特開２０１２−５７８５９号公報
　甲９号証：特表２０１２−５０６２６３号公報
　甲１０号証：登録実用新案第３００３５４３号公報
　甲１１号証：特開２０１０−８０２６１号公報
　甲１２号証：米国特許出願公開第２０１１／０２７８１８９号明細書
　甲１３号証：米国仮出願第６１／５９３００４号明細書
　甲１４号証：特表２０１５−５０５４７６号公報（特願２０１４−５５５７２５号）
　（以下，証拠番号に従って「甲１」などという。）
第５　取消理由１（２９条１項３号）及び取消理由２（２９条２項）について
　１　甲１に記載された事項及び発明
　　（１）　甲１に記載された事項（なお，訳は，甲２（対応する日本語特許公報）による。）
　・「Preferably, the capillary wick is arranged to be in contact with liquid in the liquid storage portion. Preferably, the capillary wick extends into the liquid storage portion. In that case, in use, liquid is transferred from the liquid storage portion to the electric heater by capillary action in the capillary wick. In one embodiment, the capillary wick has a first end and a second end, the first end extending into the liquid storage portion for contact with liquid therein and the electric heater being arranged to heat liquid in the second end. When the heater is activated, the liquid at the second end of the capillary wick is vaporized by the at least one heating element of the heater to form the supersaturated vapour. The supersaturated vapour is mixed with and carried in the air flow. During the flow, the vapour condenses to form the aerosol and the aerosol is carried towards the mouth of a user. The liquid aerosol-forming substrate has physical properties, including viscosity and surface tension, which allow the liquid to be transported through the capillary wick by capillary action. 
 The capillary wick may have a fibrous or spongy structure. The capillary wick preferably comprises a bundle of capillaries. For example, the capillary wick may comprise a plurality of fibres or threads or other fine bore tubes. The fibres or threads may be generally aligned in the longitudinal direction of the aerosol generating system. Alternatively, the capillary wick may comprise sponge-like or foam-like material formed into a rod shape. The rod shape may extend along the longitudinal direction of the aerosol generating system. The structure of the wick forms a plurality of small bores or tubes, through which the liquid can be transported by capillary action. The capillary wick may comprise any suitable material or combination of materials. Examples of suitable materials are capillary materials, for example a sponge or foam material, ceramic- or graphite-based materials in the form of fibres or sintered powders, foamed metal or plastics material, a fibrous material, for example made of spinned or extruded fibres, such as cellulose acetate, polyester, or bonded polyolefin, polyethylene, terylene or polypropylene fibres, nylon fibres or ceramic. The capillary wick may have any suitable capillarity and porosity so as to be used with different liquid physical properties. The liquid has physical properties, including but not limited to viscosity, surface tension, density, thermal conductivity, boiling point and vapour pressure, which allow the liquid to be transported through the capillary device by capillary action. 
 Preferably, the at least one heating element is in the form of a heating wire or filament encircling, and optionally supporting, the capillary wick. The capillary properties of the wick, combined with the properties of the liquid, ensure that, during normal use, the wick is always wet in the heating area. If the wick is dry, there may be overheating. Providing a capillary wick may therefore be advantageous as it will allow a measure of this overheating, which in turn can allow a determination of when the amount of liquid aerosol-forming substrate in the liquid storage portion has decreased to a predetermined threshold 」（明細書６頁７行〜７頁１５行）
　（【００２６】　毛細管芯は，液体貯蔵部内の液体と接触するように配置されることが好ましい。毛細管芯は，液体貯蔵部内に延びることが好ましい。この場合，使用時には，毛細管芯内の毛細管作用により，液体が液体貯蔵部から電気ヒータに移動する。１つの実施形態では，毛細管芯が第１の端部及び第２の端部を有し，第１の端部が液体貯蔵部内に延びて内部の液体に接触し，電気ヒータが，第２の端部内の液体を加熱するように配置される。ヒータが作動すると，ヒータの少なくとも１つの加熱要素により，毛細管芯の第２の端部の液体が気化して過飽和蒸気を形成する。この過飽和蒸気が空気流と混ざり，この空気流に含まれて運ばれる。流れている間に蒸気が凝縮してエアロゾルを形成し，このエアロゾルがユーザの口の方に運ばれる。液体エアロゾル形成基質は，液体が毛細管作用により毛細管芯を通じて運ばれるようにする物理特性（粘度及び表面張力を含む）を有する。
【００２７】　毛細管芯は，繊維状又は海綿状の構造を有することができる。毛細管芯は，毛細管の束を含むことが好ましい。例えば，毛細管芯は，複数の繊維又は糸，或いはその他の微細チューブを含むことができる。これらの繊維又は糸を，エアロゾル生成システムの長手方向に大まかに整列させることができる。或いは，毛細管芯は，ロッド形状に形成された海綿様又は泡状材料を含むこともできる。このロッド形状は，エアロゾル生成システムの長手方向に沿って延びることができる。芯の構造は，複数の小さなボア又はチューブを形成し，これを通じて毛細管作用により液体を運ぶことができる。毛細管芯は，あらゆる好適な材料又は材料の組み合わせを含むことができる。好適な材料の例としては，例えば，海綿又は発泡材料，繊維又は焼結粉体の形のセラミック又は黒鉛系材料，発泡金属又は発泡プラスチック材料，例えば，酢酸セルロース，ポリエステル，又は結合ポリオレフィン，ポリエチレン，テリレン又はポリプロピレン繊維，ナイロン繊維又はセラミックなどの，紡績又は押し出し繊維で作られた繊維性材料などの毛細管材料が挙げられる。この毛細管芯は，異なる液体物理特性で使用されるように，あらゆる好適な毛細管現象及び多孔率を有することができる。液体は，以下に限定されるわけではないが，毛細管作用により毛細管装置を通じて運ばれるような粘度，表面張力，濃度，熱伝導率，沸点及び蒸気圧を含む物理特性を有する。
【００２８】　少なくとも１つの加熱要素は，毛細管芯を取り巻いて任意にこれを支持する加熱ワイヤ又はフィラメントの形であることが好ましい。芯の毛細管特性を液体の特性と組み合わせることで，通常の使用時には，加熱領域において常に芯が湿っていることが確実になる。芯が乾燥した場合，過熱が生じる恐れがある。従って，毛細管芯を設けると，この過熱を測定することができ，これにより液体貯蔵部内の液体エアロゾル形成気質の量がいつ所定の閾値に減少したかをさらに判定できるので有利である。）
　・「Figure 1 shows one example of an electrically operated aerosol generating system having a liquid storage portion. In Figure 1 , the system is a smoking system. The smoking system 100 of Figure 1 comprises a housing 101 having a mouthpiece end 103 and a body end 105. In the body end, there is provided an electric power supply in the form of battery 107 and electric circuitry 109. A puff detection system 111 is also provided in cooperation with the electric circuitry 109. In the mouthpiece end, there is provided a liquid storage portion in the form of cartridge 113 containing liquid 115, a capillary wick 117 and a heater 119. Note that the heater is only shown schematically in Figure 1. In the exemplary embodiment shown in Figure 1 , one end of capillary wick 117 extends into cartridge 113 and the other end of capillary wick 117 is surrounded by the heater 119. The heater is connected to the electric circuitry via connections 121 , which may pass along the outside of cartridge 113 (not shown in Figure 1 ). The housing 101 also includes an air inlet 123, an air outlet 125 at the mouthpiece end, and an aerosol-forming chamber 127. 
 In use, operation is as follows. Liquid 115 is conveyed by capillary action from the cartridge 1 13 from the end of the wick 117 which extends into the cartridge to the other end of the wick which is surrounded by heater 119. When a user draws on the aerosol generating system at the air outlet 125, ambient air is drawn through air inlet 123. In the arrangement shown in Figure 1 , the puff detection system 111 senses the puff and activates the heater 119. The battery 107 supplies electrical energy to the heater 119 to heat the end of the wick 117 surrounded by the heater. The liquid in that end of the wick 117 is vaporized by the heater 119 to create a supersaturated vapour. At the same time, the liquid being vaporized is replaced by further liquid moving along the wick 117 by capillary action. (This is sometimes referred to as pumping action.) The supersaturated vapour created is mixed with and carried in the air flow from the air inlet 123. In the aerosol-forming chamber 127, the vapour condenses to form an inhalable aerosol, which is carried towards the outlet 125 and into the mouth of the user. 」（明細書１２頁６行〜３５行）
　（【００５５】　図１に，液体貯蔵部を有する電気作動式エアロゾル生成システムの一例を示す。図１では，このシステムが喫煙システムである。図１の喫煙システム１００は，マウスピース側端部１０３と本体側端部１０５とを有するハウジング１０１を含む。本体側端部には，バッテリ１０７の形の電力供給装置及び電気回路１０９が備わる。電気回路１０９と協働する吸煙検出システム１１１も備わる。マウスピース側端部には，液体１１５を収容するカートリッジ１１３の形の液体貯蔵部，毛細管芯１１７及びヒータ１１９が備わる。なお，図１では，ヒータを概略的にしか示していない。図１に示す例示的な実施形態では，毛細管芯１１７の一端がカートリッジ１１３内に延び，毛細管芯１１７の他端がヒータ１１９に取り巻かれる。ヒータは，カートリッジ１１３の外側に沿って通過できる（図１には図示せず）接続部１２１を介して電気回路に接続される。ハウジング１０１は，空気入口１２３，マウスピース側端部の空気出口１２５，及びエアロゾル形成チャンバ１２７も含む。
【００５６】　使用時の動作は以下の通りである。液体１１５が，カートリッジ１１３からの毛細管作用により，カートリッジ内に延びる芯１１７の一端からヒータ１１９に取り巻かれた芯の他端に運ばれる。ユーザが，エアロゾル生成システムの空気出口１２５を吸引すると，空気入口１２３を通じて外気が吸い込まれる。図１に示す構成では，吸煙検出システム１１１が吸煙を感知してヒータ１１９を作動させる。バッテリ１０７がヒータ１１９に電気エネルギーを供給してヒータに取り巻かれた芯１１７の端部を加熱する。ヒータ１１９により，この芯１１７の端部内の液体が気化して過飽和蒸気が発生する。同時に，気化した液体が，毛細管作用により芯１１７に沿って移動してきた別の液体に置き換わる。（この作用は「ポンプ作用」と呼ばれることもある。）発生した過飽和蒸気が空気入口１２３からの空気流と混ざり，この空気流に含まれて運ばれる。エアロゾル形成チャンバ１２７内では，蒸気が凝縮して吸入可能なエアロゾルを形成し，これが出口１２５の方に運ばれてユーザの口に入る。）
　・「However, in a preferred embodiment, the system does include a capillary wick for conveying the liquid from the liquid storage portion to the at least one heating element. The capillary wick can be made from a variety of porous or capillary materials and preferably has a known, pre-defined capillarity. Examples include ceramic- or graphite-based materials in the form of fibres or sintered powders. Wicks of different porosities can be used to accommodate different liquid physical properties such as density, viscosity, surface tension and vapour pressure. The wick must be suitable so that the required amount of liquid can be delivered to the heater. Preferably, the heater comprises at least one heating wire or filament extending around the capillary wick. 」（明細書１３頁２３〜３３行）
　（【００５９】　しかしながら，好ましい実施形態では，システムが，液体貯蔵部から少なくとも１つの加熱要素に液体を運ぶための毛細管芯を含む。毛細管芯は，様々な多孔質材料又は毛管材料から作製することができ，既知の所定の毛細管現象を有することが好ましい。いくつかの例として，繊維又は焼結粉体の形のセラミック又は黒鉛系材料が挙げられる。多孔率の異なる芯を使用して，濃度，粘度，表面張力及び蒸気圧などの様々な液体物理特性に対応することができる。芯は，必要量の液体をヒータに送達できるように適していなければならない。ヒータは，毛細管芯の周りに延びる少なくとも１つの加熱ワイヤ又はフィラメントを含むことが好ましい。）
　　（２）　甲１に記載された発明
　甲１に記載された事項及び図面の記載からすると，甲１には以下の発明が記載されているといえる（以下「甲１発明」という。）。
　（甲１発明）
　「バッテリ１０７と，マウスピース側端部１０３とを含み，マウスピース側端部１０３はヒータ１１９と毛細管芯１１７とを含み，ヒータ１１９は毛細管芯１１７を取り巻いており，毛細管芯１１７は，多孔質材料から作製することができ，いくつかの例として，焼結粉体の形のセラミックを含むエアロゾル生成システムであって，
　ヒータ１１９は加熱ワイヤ又はフィラメントを含み，
　ヒータ１１９は毛細管芯１１７の周りに螺旋状に巻かれており，
　マウスピース側端部１０３は，使用の際，負圧領域になるように構成されているエアロゾル形成チャンバ１２７をさらに含み，
　ヒータ１１９は，エアロゾル形成チャンバ１２７の内側にあり，
　毛細管芯１１７は長手方向に細長いものであり，
　さらに，カートリッジ１１３と，
　ヒータ１１９から気化された液体が通過する空気出口１２５とを含み，
　毛細管芯１１７の一端がカートリッジ１１３内に延び，液体１１５がカートリッジ１１３からの毛細管作用により，毛細管芯１１７の一端からヒータ１１９に取り巻かれた他端に運ばれるように構成されており，
　バッテリ１０７がヒータ１１９に電力を供給するためのものであるエアロゾル生成システム。」
　２　甲３に記載された事項及び発明
　　（１）　甲３に記載された事項
　・「【００３９】
　図１〜１０に示されるように，本発明は，エアロゾル電子たばこを提供するもので，エアロゾル電子たばこは，電池アセンブリ，アトマイザアセンブリ，及びたばこボトルアセンブリを含み，さらに中空で一体的に形成されるシェルａを有する。電池アセンブリはアトマイザアセンブリに接続され共にシェル内に位置する。たばこボトルアセンブリはシェルの一方の端部に取り外し可能に設けられている。たばこボトルアセンブリは，アトマイザアセンブリに接合し，シェルには空気流入口ａ１が設けられている。
【００４０】
　この特定の実施形態において，電池アセンブリは電池を含み，且つ，前記電池に接続される，作動インジケータ１，電子回路基板４，及び気流センサ５を有し，さらに，逆止弁７を有する。気流センサ５の信号出力部は，前記電子回路基板４に接続される。電池は充電式電池３であり，充電式電池３は充電可能なリチウムイオンポリマー電池，又は充電可能なリチウムイオン電池のいずれかとすることもできる。他の形態において，前記気流センサ５を，半導体感圧チップキャパシタンスセンサ，又はインダクタンスセンサとしてもよい。充電式電池３は，弾性的に接続された充電プラグ２を有する。充電プラグ２のブレード部２１は，シェルａの他方の端部から突出している。」
　・「【００４２】
　図５〜８に示されるように，前記アトマイザアセンブリはアトマイザ８であり，アトマイザ８は多孔質部材８１及び電熱棒８２を有する。多孔質部材８１の本体は，流通式アトマイジングチャンバー８１１を備える。電熱棒８２の直径は，アトマイジングチャンバー８１１の直径より小さい。電熱棒８２は，アトマイジングチャンバー８１１内に位置し，電熱棒８２とアトマイジングチャンバー８１１の内壁の間には，負圧キャビティ８３を形成する空間がある。前記多孔質部材８１の一方の端部は，前記たばこボトルアセンブリに接合し，図５，７及び８に示されるように，多孔質部材８１の他方の端部は，たばこボトルアセンブリに接合する突出部８１２を有する。突出部８１２は突出半球状であり，その側面にはアトマイジングチャンバー８１１に接続する流通孔８１３を有する。また，突出部８１２は，テーパー，長方形，又は他の形状をとることも可能である。多孔質部材８１は，発泡ニッケル，ステンレス製繊維フェルト，高分子ポリマー発泡体，又は発泡セラミックスから成り，液体吸収及び拡散，たばこボトルアセンブリに格納される液体の吸収能力に大変富んでいる。
【００４３】
　図６に示されるように，電熱棒８２は，円筒８２１を有する。電熱線８２２は，円筒８２１の円筒壁に巻き付けられており，円筒８２１の両端壁には，多孔質部材８１のアトマイジングチャンバー８１１の内壁に接するようにマンドリル８２３が各々設けられている。電熱棒とアトマイジングチャンバー８１１の内壁との間には負圧キャビティ８３が位置する。」
　・「【００４６】
　図３及び４に示されるように，たばこボトルアセンブリは中空のたばこホルダーシェルｂと，シェルｂ内に液体収容有孔部材９を有する。液体収容有孔部材９は，ＰＬＡ繊維，テリレーン繊維，またはナイロン繊維といった液体格納に適した材料から成る。他の形態では，ポリ塩化ビニル，ポリプロピレン，及びポリカーボネートを用いたプラスティック射出により製造されたプラスティック発泡成型か多層膜厚板コラムとしてもよい。たばこホルダーシェルｂの一方の端部はシェルａに差し込まれ，前記たばこホルダーシェルｂの外周面には内部通気溝ｂ２が設けられている。たばこホルダーシェルｂの他方の端部の表面には，内側に延びる空気路ｂ１があり，空気路ｂ１はシェルｂの一方の端部の表面の中央に位置する。
【００４７】
　図１〜９に示されるように，多孔質部材８１の一方の端部は，前記液体収容有孔部材９の一端面に対して設けられ，液体収容有孔部材９と接触している。多孔質部材８１は，液体収容有孔部材９からたばこ液を吸収する。喫煙者がたばこを吸う際，たばこホルダーシェルｂのキャビティは負圧状態にあり，シェルｂ内で気流センサ５の一方の端部が標準圧キャビティを形成し，その一方で，他方の端部が負圧キャビティを形成する。標準圧キャビティと負圧キャビティ又は高速気流との気圧差により，気流センサ５の磁性鋼５４がリレー電極５１と接触するようリードリレー５２を駆動することが可能となる。・・・たばこボトルアセンブリの液体収容有孔部材９及びアトマイザ８の多孔質部材８１は，互いに接続されて液体供給用の毛細含浸が生じる。」
　・「【００５４】
　本出願の第５の好適実施形態においては，図１７及び１８に示されるように，アトマイザアセンブリは，外枠８２を有するアトマイザ８であり，多孔質部材８１は外枠８２上に設置され，この多孔質部材８１には電熱線８３が巻き付けられている。流通孔８２１が，外枠８２に設けられ，多孔質部材８１には，流通孔８２１の軸方向側に電熱線８３が巻き付けられている。多孔質部材８１の一端は，たばこボトルアセンブリに接合している。多孔質部材８１は，発泡ニッケル，ステンレス製繊維フェルト，高分子ポリマー発泡体，又は，発泡セラミックスから成る。」
　　（２）　甲３に記載された発明
　甲３に記載された事項及び図面の記載からすると，甲３には以下の発明が記載されているといえる（以下「甲３発明」という。）。
　（甲３発明）
　「充電式電池３とアトマイザ８とを含み，アトマイザ８は電熱線８３と外枠８２と多孔質部材８１とを含み，電熱線８３は多孔質部材８１に巻き付けられており，多孔質部材８１は発泡セラミックスからなるエアロゾル電子たばこであって，
　電熱線８３は多孔質部材８１の周りに螺旋状に巻かれており，
　アトマイザ８は，使用の際，負圧領域となるように構成されているキャビティをさらに含み，
　電熱線８３は当該キャビティの内側にあり，
　多孔質部材８１のうち電熱線８３が巻き付けられている部分は，長手方向に細長いものであり，
　たばこボトルアセンブリを含み，
　さらに，液体収容有孔部材９と，
　電熱線８３から気化された液体が通過する空気路ｂ１とを含み，
　多孔質部材８１はたばこボトルアセンブリ内の液体収容有孔部材９から液体を気化させるための電熱線８３に吸い上げるようにたばこボトルアセンブリに接合しており，
　充電式電池３が電熱線８３に通電を行うためのものであるエアロゾル電子たばこ。」
　３　甲９に記載された事項及び発明
　　（１）　甲９に記載された事項
　・「【０００３】
　この特許出願明細書において，「吸入器」という概念は，医療用の吸入器にも，医療用ではない吸入器にも関連するものである。この概念は更に，医薬品及び医薬品としては指定されないような物質を投与するための吸入器にも関連している。それ以外にもこの概念は，例えば欧州特許分類A24F47/00Bに包摂されるような喫煙具及びタバコ代用品にも，それらが蒸気-空気混合物又は/及び凝縮エアロゾルを利用者に投与するためのものであると指定されている限りは関連することになる。」
　・「【００４０】
（概念の解説）
　「面状複合体」とは，発熱体及び芯が，同一面又は/及び相互に平行な面に配置され，且つ相互に接合されていることを意味するものである。面状複合体の内部における液状材料の毛管輸送は，主として面に沿った向きに行われる。」
　・「【００４５】
　この面状複合体には，本発明に従って，クロス，開放孔を有する繊維構造，開放孔を有する焼結構造，開放孔を有するフォーム，開放孔を有する析出構造のいずれか一つの構造が含まれている。これらの構造は，特に空隙率が高い芯体を具現するためにも適したものである。高い空隙率により，発熱体が発生する熱の大半が細孔内にある液状材料の気化に利用されて，高い気化器効率を達成可能であることが保証される。これらの構造により，具体的には50%を上回る空隙率を実現することができる。開放孔を有する繊維構造は例えばフリースから成るとよいが，このフリースは任意に圧密化され，更にそれに追加して抱合性を改善するために焼結されるようにするとよい。開放孔を有する焼結構造は，例えばテープキャスト法により製造される，粒状，繊維状，又はフレーク状の焼結複合体から成るとよい。開放孔を有する析出構造は，例えばCVD法，PVD法，又は火炎溶射により作製されるとよい。開放孔を有するフォームについては，基本的に商業的に入手可能であり，微孔質仕様の薄手のものについても入手することができる。
【００４６】
　本発明の変形構成形態の一例において，面状複合体は少なくとも二つの層を有しているが，これらの層には，シート，フォイル，紙，クロス，開放孔を有する繊維構造，開放孔を有する焼結構造，開放孔を有するフォーム，開放孔を有する析出構造の少なくとも一つの構造が含まれている。又その際には，特定の層を発熱体に対して割り当てて，その他の層を芯に対して割り当てるようにするとよい。例えば発熱体は，金属フォイルから成る一つの電気抵抗式発熱体により形成されるとよい。しかし，一つの層に，発熱体の機能も，又芯の機能も受け持たせることも可能であり，例えばそのような層は一方では電気抵抗により加熱に寄与し，他方では液状材料に毛管作用を及ぼすようになっている一つのメタルワイヤクロスから成るとよい。個々の層は，焼結又は溶接等の熱処理により相互に接合されると有利であるが，必ずしもそうする必要はない。例えば複合体は，一つの特殊鋼フォイルと，一つ又は複数の特殊鋼製ワイヤクロス(例えばAISI 304又はAISI 316等の鋼材)の層とから成る焼結複合体として構成されたものであるとよい。・・・
【００４７】
　本発明の別の類似構成形態においては，複合体を線状に構成し，複合体の少なくとも一つの加熱される部分をチャンバの内部に無接触方式で配置して，この加熱される部分に位置する芯の毛管構造を実質的に露出させることが提案される。芯の毛管構造がこの加熱される部分においては露出することによって，生成される蒸気は妨げられずに芯から流れ出ることができるが，それにより気化容量を増大することができる，若しくは芯内部の限界熱流束を回避することができる。線状複合体の内部における液状材料の毛管輸送は，主として線状複合体の長手方向に行われる。「無接触方式」及び「チャンバ」という概念については，上記で既に説明した。」
　・「【００５１】
　面状又は線状複合体の好ましい構成形態においては，発熱体が少なくとも部分的に芯の内部に組み込まれている。この配置方式には，芯体の内部で熱が直接発生され放出されて，そこで直接，気化対象である液状材料に伝達されるという有利な効果がある。例えば発熱体は，白金，ニッケル，モリブデン，タングステン，タンタル製の導電性薄膜から成るとよいが，この薄膜はPVD法又はCVD法により芯表面に施されるようになっている。芯は，この場合には非導電性材料から―例えば石英ガラスから―成っている。」
　・「【００５６】
　変形構成形態の一例において，芯には，厚さ方向に穴開き加工が施されている。この穴開き加工は，例えばレーザを利用して行われるとよいが，これには次の効果がある。即ち一方では，空隙率が更に増大されることになる。他方では，厚さ方向への流れ抵抗が低下されることになる。特にアルテリアルウィックを使用した場合は，芯内部の液状材料の圧力が気化の間に上昇するが，この穿孔部が圧力を逃がす手段として作用することによって後者の効果が現れる。それにより，芯内部に生成された蒸気によって，液状材料がアルテリアを通って再び液状材料源に押し戻されることで，液状材料の供給が微妙に阻害される怖れを回避している。」
　・「【００６５】
　吸入器コンポーネントは，上記で説明した液体容器の代わりに，開放孔を有する弾性材料から成る，液状材料を浸み込ませた一つの液体リザーバを内蔵してもよいが，その場合は本発明に従って，複合体が，―上記で既に説明したように―両方の板状接点の内の一方と，液体リザーバとの間にサンドイッチ状に挟持されることにより，芯が液体リザーバの内部の液状材料と毛管連結されるようにしている。この開放孔を有する弾性材料は，例えば繊維材料製又は発泡材料製であるとよい。液状材料は，液体リザーバから芯内部に自動的に吸い出されて芯に浸透する。その前提条件として，芯の毛管作用若しくは毛管引力(毛管上昇の高さ)が，液体リザーバの毛管作用を上回ることが必要である。サンドイッチ状に挟み付けることにより，構造上シンプルな，低コストで製造される配列が具現される。」
　・「【００７１】
　本発明の更にもう一つの実施形態によると，吸入器コンポーネントは，一つのマウスピースにより形成された一つのマウスピース開口部を有しており，このマウスピース開口部はチャンバと連通しており，利用者は，このマウスピース開口部を通り投与される蒸気-空気混合物又は/及び凝縮エアロゾルを受け取るようになっているが，その際には吸入の過程で吸気口とこのマウスピース開口部との間に，マウスピース開口部に向かう流れが構成されて，この流れが少なくとも所々複合体を通過するようになっている。」
　・「【００７８】
　・・・具体例として示されるこの吸入器は，基本的には二つの部品から，詳細には一つの吸入器部品1と，一つの吸入器コンポーネント2とから成っている。吸入器コンポーネント2は，一つのケース3から成り，何よりも特に一つの液体容器4と，煙草のパイプのような一つのマウスピース5を有している。液体容器4には液状材料が収められ，これが吸入器コンポーネント2の内部で気化されて，吸入可能な蒸気-空気混合物又は/及び凝縮エアロゾルに変換されるようになっている。生成された蒸気-空気混合物又は/及び凝縮エアロゾルは，マウスピース5を介して利用者に投与される。」
　・「【００８２】
　・・・キャリヤケース10は，電気回路11及びエネルギ貯蔵器12を収容する他，回路11とエネルギ貯蔵器12を相互に切り離す一つの隔壁13を有している。電気回路11は，この実施例においては一体型の実装済み回路基板として構成されて，隔壁13の表面に例えば接着により取り付けられている。エネルギ貯蔵器12は，好適にはフラットタイプの一つの充電式バッテリから，例えばリチウムイオン蓄電池又はリチウムポリマ蓄電池から成ると好適である。」
　・「【００８６】
　・・・これらの図に示されるように，交換式吸入器コンポーネント2のケース3の内部には，一つのチャンバ21が形成されている。図11に最も良く示されるように，このチャンバ21を貫いて，本発明に従った一つの面状複合体22が，架橋するように，それに伴い無接触方式で延びている。この面状複合体22は，フォイル状又はストリップ状の平坦な形状を有しており，一つの発熱体と一つの芯とから成っている。芯の毛管構造は，液状材料16の吸上げに適したものとなっている。発熱体及び芯は実に様々な態様で構成されて，相互に接合されたものであるとよい。実施形態の具体例については，後で更に詳細に説明する。面状複合体22は，二つの末端部分のところで二つの導電性の板状接点23の上に支承されると同時に，他にもそれらの表面に電気接触されている。」
　・「【００９２】
　・・・図14aに示される実施形態においては，面状複合体22が四つの層，具体的には一つの金属フォイル31と，その上に焼結により融着された三つのメタルワイヤクロス32とから成っている。」
　・「【００９６】
　付言するが，金属フォイル31も，又このフォイルの上に焼結により融着されたメタルワイヤクロス32も，電気抵抗による発熱に一定の寄与を成すようになっている。この意味で，電気抵抗式発熱体とは，これらの個別抵抗を並列接続したものであると解釈することができる。同様に芯の毛管作用についても，それが生じる理由はワイヤクロス32と金属フォイル31との協働関係により説明されるが，金属フォイル31にワイヤクロス層が一つだけ組み合わされるだけで既に一定の毛管効果を生じることができる。当然ながら本発明は，上述の諸元に限定されない。メタルワイヤクロス32の代わりに，それ以外の開放孔を有する金属製の構造物を金属フォイル31上に配置することも可能だろうし，他にも，例えば石英ガラス等の非導電性材料から成るクロス，又はそれ以外の開放孔を有する構造物を，金属フォイル31上に配置する，若しくはその表面にフリッティングすることも可能だろう。」
　・「【０１０４】
　面状複合体22の上述の実施形態は皆，言わせてもらうならば，あくまでも実施例に過ぎないものである。本発明は断じて，これらの実施例に限定されない。例えば面状発泡材料は，金属フォイルの上に焼結により融着させてもよいかもしれない。他にも，―例えばドイツ特許第1,950,439号(ペーター・バツィース(Peter Batzies)他)に準拠して，開放孔を有する一つの多孔質析出層が，一つの金属フォイルの上に施されてもよいかもしれない。最後に面状複合体については，当然ながら，カーボンファイバやグラファイトファイバ等の非金属材料から，例えばクロス及びフリースの形態で，又は，石英ガラスから，例えば粒状又は繊維状の焼結複合体の形態で，これを形成できるかもしれないが，後者の場合は，ガラス表面に施される導電性の薄膜により電気抵抗加熱がもたらされるようにするとよいだろう。石英ガラスは，耐薬品性及び耐熱衝撃性に優れることを特色とする。」
　・「【０１０５】
　図16及び図16aには線状複合体39の実施形態の具体例が示されるが，この具体的な実施例においては，相互に平行に配置される三つの線状複合体39a，39b，39c(符号39cは不図示)が備えられている。・・・
【０１０６】
　夫々の線状複合体は，この具体例においては，開放孔を有する焼結構造34を持つワイヤ状の焼結複合体として構成されている。」
　・「【０１１３】
　・・・充填材料61は，マウスピース側を第2のワイヤクロス65により限定されるが，このワイヤクロス65は，充填材料が，マウスピース通路66内，ましてや利用者の口腔内に入り込んでしまうのを阻止するようになっている。マウスピースの，この第2のワイヤクロス65とマウスピース通路66との間には，充填材料61を通る流れが，その末端部分においても一様となるようにするための，一つの前室67が形成されている。」
　・「【０１２４】
　・・・この圧力センサ99は，中でも特に，プレナムチャンバ27の上流側に一つの流れ絞り部28が配置される限り，吸込み式吸入器における使用に適したものとなっている。そこでは吸込みの過程で，プレナムチャンバ27の内部に，周辺に対して類型的には0〜50mbarの範囲内の負圧が生じるようになっている。この時の圧力特性は，ベル形に近似した曲線となる。・・・
・・・
【０１２６】
　・・・集積回路104は，吸入器の全電気信号の大半の演算処理を行って，吸入器の動作にとり重要な，様々な制御機能を実行する。以下ではこれらの制御機能について，詳しく解説することにする。複合体22，39の発熱体への電気エネルギの供給は，中心的な制御機能の一つである。電気エネルギはエネルギ貯蔵器12から送られる。エネルギ貯蔵器12としては，今日の技術水準に基づくと，リチウムポリマ電池及びリチウムイオン電池が，その高いエネルギ密度及び出力密度のために，特に推奨される。発熱体が金属性のものである場合は，開路電圧又は定格電圧が3.7Vであるリチウムポリマ電池又はリチウムイオン電池を一つ使用するだけで間に合うことになる。複合体22，39の発熱体へのエネルギ供給及び電力供給の制御は，バッテリ電圧を，エネルギ供給が継続される時間にわたり，可変通電率でチョッピングして，その結果得られる有効電圧を発熱体に印加することにより，簡単に行うことができる。」
　　（２）　甲９に記載された発明
　甲９に記載された事項及び図面の記載からすると，甲９には以下の発明が記載されているといえる（以下「甲９発明」という。）。
　（甲９発明）
　「エネルギ貯蔵器１２と吸入器コンポーネント２とを含み，吸入器コンポーネント２は発熱体の層と芯の層とからなる面状複合体２２を含み，芯は毛管構造を有し，石英ガラスから，例えば粒状又は繊維状の焼結複合体の形態で形成することができる吸入器であって，
　吸入器コンポーネント２は，使用の際，負圧領域になるように構成されているチャンバ２１をさらに含み，
　面状複合体２２は，チャンバ２１を貫いて延びており，
　吸入器コンポーネント２はマウスピース５を有しており，
　面状複合体２２は長手方向に細長いものであり，
　面状複合体２２は平坦であり，
　さらに，液体容器４と，
　マウスピース通路６６とを含み，
　芯は液体を液体容器４から液体を気化させるための発熱体に吸い上げるように構成されており，
　エネルギ貯蔵器１２が発熱体にエネルギを供給するためのものである吸入器。」
　４　甲１に関し
　　（１）　本件発明１
　　　ア　対比
　本件発明１と甲１発明とを，その有する機能に照らして対比すると，甲１発明の「バッテリ１０７」，「ヒータ１１９」，「エアロゾル生成システム」は，それぞれ，本件発明１の「動力電池」，「加熱エレメント」，「電子蒸気供給装置」に相当する。
　また，甲１発明の「マウスピース側端部１０３」は，その内部の「ヒータ１１９」及び「毛細管芯１１７」により液体を気化させるものであるから，本件発明１の「気化器」に相当する。
　そして，甲１発明の「毛細管芯１１７」は，その機能に照らすと，本件発明１の「加熱エレメント支持体」に対応する部材であり，両者は，加熱エレメント（ヒータ１１９）に隣接して位置する部材といえる。
　さらに，甲１発明の「毛細管芯１１７」は，「多孔質材料から作製することができ，いくつかの例として，焼結粉体の形のセラミックを含む」ものであって，硬質であるといえるから（平成２９年８月２５日付け特許異議申立人意見書添付参考資料１〜３参照），本件発明１の「加熱エレメント支持体」と同様に，「多孔性セラミック材を含む硬質」の部材である。
　（参考資料１：Wikipedia「セラミックス」のウェブページの印字物，＜URL:https://ja.wikipedia.org/wiki/%E3%82%BB%E3%83%A9%E3%83%9F%E3%83%83%E3%82%AF%E3%82%B9，参考資料２：「岩波　理化学辞典」，４版５刷，株式会社岩波書店，１９９１年１月１０日，ｐ．６９７，参考資料３：社団法人日本セラミックス協会，「これだけは知っておきたいセラミックスのすべて」，初版１刷，１９９６年４月２６日，ｐ．３２−３４）
　そうすると，本件発明１と甲１発明とは，以下の点で一致し，相違する。
　（一致点）
　「動力電池と気化器とを含み，この気化器は加熱エレメントと該加熱エレメントに隣接して位置する部材とを含み，前記加熱エレメントに隣接して位置する部材は，多孔性セラミック材を含む硬質の部材である電子蒸気供給装置。」
　（相違点）
　加熱エレメントに隣接して位置する部材に関し，本件発明１は，「加熱エレメントを支持するように構成された加熱エレメント支持体」を有し，「加熱エレメントは加熱エレメント支持体の支持体外面の上に位置し，１つ以上の隙間が加熱エレメントと加熱エレメント支持体の支持体外面との間に設けられており」，この「加熱エレメント支持体」が，「多孔性セラミック材を含む硬質の支持体である」のに対し，甲１発明は，「毛細管芯１１７」を有し，「ヒータ１１９」は「毛細管芯１１７」を取り巻いており，「毛細管芯１１７」は多孔質セラミック材を含む硬質の部材であるものの，「毛細管芯１１７」がヒータ１１９を支持するように構成されているか明らかでなく，「ヒータ１１９」は「毛細管芯１１７」の外面の上に位置するのか，１つ以上の隙間が「ヒータ１１９」と「毛細管芯１１７」の外面との間に設けられているのか明らかでない点。
　　　イ　判断
　甲３には，エアロゾル電子たばこにおいて，アトマイザ８の外枠８２に配置された多孔質部材８１に，電熱線８３を巻き付ける点が記載されており（前記２（【００５４】，図１７，１８）），この構造により，電熱線８３が多孔質部材８１により支持されていることは明らかである。
　他方，甲１には，加熱要素が，毛細管芯を取り巻いて支持する点が記載され（前記１（７頁７〜８行（甲２【００２８】））），毛細管芯１１７とヒータ１１９とを接触して配置しうることが開示されている上，毛細管芯１１７は，その一端がカートリッジ１１３に延びており（前記１（１２頁１５〜１７行（甲２【００５５】），図１），多孔質性のセラミックから作製され硬質であるから，ヒータ１１９の支持を担うことは，技術的に十分可能である。
　そして，甲１発明において，ヒータ１１９を毛細管芯１１７の周りにどのように配置するかは，構造や材質を考慮して，当業者が適宜に決定することができるから，甲１発明において，ヒータ１１９を毛細管芯１１７に巻き付けるように配置し，ヒータ１１９を毛細管芯１１７により支持するように構成することは，当業者が容易に想到できる事項である。
　その場合，毛細管芯１１７の外面に開口した多数の孔が，ヒータ１１９と毛細管芯１１７との間に存するといえ，ヒータ１１９とこの「多数の孔」との間は，本件発明１の「隙間」に相当する。すなわち，甲１発明は，本件発明１の「１つ以上の隙間が加熱エレメントと加熱エレメント支持体の支持体外面との間に設けられ（た）」構造と同じ構造を有することとなる。
　この点に関し，特許権者は，本件発明１の「１つ以上の隙間」と「多孔性セラミック」の細孔によって形成される微視的な隙間とは異なる，と主張している（平成２９年７月１８日付け意見書１３〜１７頁）。
　しかし，本件発明１において，「１つ以上の隙間」と「多孔性セラミック」の細孔によって形成される隙間とは異なると規定されているとは認められない。かえって，本件特許明細書には，隙間の大きさが１０〜５００ミクロメートルである旨記載され（【００７５】，【００８９】），通常の多孔性セラミックの細孔の大きさに照らすと（平成２９年８月２５日付け特許異議申立人意見書添付参考資料４には５０〜２００ミクロメートルである旨（【００１９】），参考資料５には２５〜１５０ミクロメートルである旨（［００１７４］）記載されている。），「１つ以上の隙間」と「多孔性セラミック」の細孔によって形成される隙間とが，物の構造として区別されているものとは認められない。
　（参考資料４：特開平１１−１８５９３７号公報，参考資料５：国際公開第２０１１／１４６３７５号）
　また，特許権者は，この点に関し，
　・多孔質体が内部に備えるネットワーク構造の細孔は，多孔質体の外面に開口するが，内部において他の細孔につながっているので，外面を構成するものではないから，細孔によって外面に形成される開口を，加熱エレメントと支持体外面との間に隙間を設けるものとみなすことはできない，
　・細孔は，細孔形成壁を有するが，細孔形成壁は加熱エレメント支持体の内部に存在し，他の細孔形成壁と連続的に相互接続されるものであって，このような細孔形成壁を支持体外面とみなすことはできず，細孔の内側部分が支持体外面を構成することはできないから，細孔は，支持体外面を有することはない，
とも主張している（平成３０年１月９日付け意見書８〜１１頁）。
　しかし，多孔質体の細孔によって外面に形成される開口は，内部においてその他の細孔と連結しているとしても，外面近傍の形状や構造に照らせば（甲９図１５ａ，１５ｃ，同意見書［説明図１］（１０頁）），外面を構成すると十分にいえるものである。
　さらに，本件特許明細書には，図２３，２４に係る加熱エレメント支持体２０に関し，加熱エレメント支持体２０が基板開口部８３を有し，隙間８０が，基板開口部８３が位置する部位で加熱エレメント１７と基板の間に設けられる旨記載されている（【０１０１】〜【０１０３】）。この基板開口部８３は内部に連続する孔であるから，本件発明１は，内部に連続するような孔と加熱エレメントとの間も当該「隙間」として想定しているといえる。このことからすると，細孔によって外面に形成される開口を，その形状・構造に鑑み，加熱エレメントと支持体外面との間に隙間を設けるものとみなすことができるもので，通常の多孔性セラミックの細孔の大きさに照らしても，甲１発明のヒータ１１９と毛細管芯１１７の外面に開口した多数の孔との間が，本件発明１の「隙間」に相当することは明らかである。
　そうすると，甲１発明に甲３に記載された事項を適用し，上記相違点に係る本件発明１の構成とすることは，当業者が容易に想到できたものと認められる。
　本件発明１の奏する効果をみても，甲１発明，甲３に記載された事項から当業者が予測しうる範囲内のものであって，格別ではない。
　　　ウ　以上のとおり，本件発明１は，甲１発明及び甲３に記載された事項に基いて，当業者が容易に発明をすることができたものである。
　　（２）　本件発明２
　甲１発明の「毛細管芯１１７」は長手方向に細長いものであり，その周りを「ヒータ１１９」が取り巻いているから，「ヒータ１１９」及び「毛細管芯１１７」は，「加熱ロッド」を形成しているといえる。
　よって，本件発明２は，甲１発明及び甲３に記載された事項に基いて，当業者が容易に発明をすることができたものである。
　　（３）　本件発明６〜８
　甲１発明の「ヒータ１１９」は，「加熱ワイヤ又はフィラメント」を含むものであるから，「加熱コイル」であるといえ，「毛細管芯１１７」の周りに螺旋状に巻かれているものである。
　また，「ヒータ１１９」を「毛細管芯１１７」に巻き付けるように配置する場合，「ヒータ１１９」のコイルターンと「毛細管芯１１７」との間に，「多数の孔」が存在するから，すなわち「隙間」が存在することとなる。
　よって，本件発明６〜８は，甲１発明及び甲３に記載された事項に基いて，当業者が容易に発明をすることができたものである。
　　（４）　本件発明９，１０
　甲１発明の「エアロゾル形成チャンバ１２７」は，本件発明９，１０の「気化キャビティー」に相当し，その内部に「ヒータ１１９」を有するものである。
　よって，本件発明９，１０は，甲１発明及び甲３に記載された事項に基いて，当業者が容易に発明をすることができたものである。
　　（５）　本件発明１１
　甲１発明の「マウスピース側端部１０３」は，本件発明１１の「マウスピースセクション」にも相当する。
　よって，本件発明１１は，甲１発明及び甲３に記載された事項に基いて，当業者が容易に発明をすることができたものである。
　　（６）　本件発明１２〜１５
　甲１発明の「毛細管芯１１７」は長手方向に細長いものである。
　甲６には，蒸発面の面積を増やし，蒸発量を増やすために，側面を波形状にする点が記載されており（【００３９】，図４），甲１発明において限られた大きさの範囲内で所定の蒸発量を得るといった課題は当然に内在するから，甲１発明においてこのような手法を採用し，「毛細管芯１１７」の側面に側部流路を設けることは，当業者が適宜なしうるものである。なお，甲６に係る技術は，多孔質材料を利用した蒸発に係る技術である点で，甲１発明と共通しており，加熱手段の有無は適用を阻害するほどの事情とは認められない。
　また，「毛細管芯１１７」は多孔質材料製であるから，外面に形成される開口の形状・構造に照らし，「窪んだ表面」を有するといえる。
　よって，本件発明１２〜１５は，甲１発明及び甲３，６に記載された事項に基いて，当業者が容易に発明をすることができたものである。
　　（７）　本件発明１６〜２１
　甲６に記載された「高分子多孔質加湿フィルタ３０」を参酌しても，甲１発明において，「毛細管芯１１７」の断面形状を多角形，幅の狭い矩形とすること，４本又は８本の腕部を有するものも含め，十字形状とすることの動機付けは認められない。
　甲７に記載された事項（透湿部材４が円板形である点（図１，２）），甲８に記載された事項（加湿フィルターが円柱形である点（図１，５）），参考資料６（特表２０１０−５０４０７５号公報（平成３０年２月１６日付け特許異議申立人意見書添付））に記載された事項（毛細管が楕円形断面を有してもよい点（【００３２】））を参酌しても，甲１発明において，「毛細管芯１１７」の断面形状を楕円形とすることは，単なる設計変更とは認められない。
　甲５に記載された事項（ウィックは，ねじられたナイロンのより糸を含む点（【００２６】））を参酌しても，甲１発明において，「毛細管芯１１７」の断面形状を３つの円が重なって一緒になったものと等しいものとすることの動機付けは認められない。
　よって，本件発明１６〜２１は，甲１発明及び甲３，５〜８に記載された事項に基いて，当業者が容易に発明をすることができたものであるとは認められない。
　　（８）　本件発明２２〜２５
　甲９発明の「面状複合体２２」は長手方向に細長く，平坦な形状を有しており，「平坦な基板」であるといえるが（後記６（７）），この点を，甲１発明の「毛細管芯１１７」に適用することの動機付けは認められない。
　甲１０に記載された事項（発熱線材２が基板１を通り抜けている点（【０００７】）），甲１１に記載された事項（発熱抵抗体２がセラミック体１に包まれている点（【００１８】，【００１９】，図１，２））を参酌しても，甲１発明において，本件発明２３〜２５のように構成することが，当業者にとって容易であるとは認められない。
　よって，本件発明２２〜２５は，甲１発明及び甲３，９〜１１に記載された事項に基いて，当業者が容易に発明をすることができたものであるとは認められない。
　　（９）　本件発明２６
　甲１発明の「カートリッジ１１３」，「空気出口１２５」は，それぞれ，本件発明２６の「液体貯蔵部」，「空気出口」に相当し，甲１発明の「毛細管芯１１７」は，本件発明２６の「吸い上げエレメント」と同じ機能を発揮している。
　よって，本件発明２６は，甲１発明及び甲３，６に記載された事項に基いて，当業者が容易に発明をすることができたものである。
　　（１０）　本件発明２７
　甲１発明の「マウスピース側端部１０３」は，本件発明２７の「気化器」に相当する。
　よって，本件発明２７は，甲１発明及び甲３，６に記載された事項に基いて，当業者が容易に発明をすることができたものである。
　５　甲３に関し
　　（１）　本件発明１
　本件発明１と甲３発明とを，その有する機能に照らして対比すると，甲３発明の「充電式電池３」，「アトマイザ８」，「電熱線８３」，「エアロゾル電子たばこ」は，それぞれ，本件発明１の「動力電池」，「気化器」，「加熱エレメント」，「電子蒸気供給装置」に相当する。
　また，甲３発明の「多孔質部材８１」は，その機能に照らすと，本件発明１の「加熱エレメント支持体」に対応する部材であり，「アトマイザ８」の「外枠８２」に配置され，「電熱線８３」が巻き付けられているところ（前記２（【００５４】，図１７，１８）），「電熱線８３」は「多孔質部材８１」の外面の上に位置しているといえる。
　そして，甲３発明の「多孔質部材８１」は「発泡性セラミックス」からなり，その材質に照らし硬質であるから（前記参考資料１〜３参照），この構造により，「電熱線８３」が「多孔質部材８１」により支持されていることは明らかである。
　よって，甲３発明の「多孔質部材８１」は，本件発明１の「加熱エレメント支持体」に相当し，本件発明１の「加熱エレメント支持体」と同様に，「多孔性セラミック材を含む硬質の支持体」である。
　その場合，多孔質部材８１の外面に開口した多数の孔が，「電熱線８３」と「多孔質部材８１」との間に存するといえ，「電熱線８３」とこの「多数の孔」との間は，本件発明１の「隙間」に相当する。すなわち，甲３発明は，本件発明１の「１つ以上の隙間が加熱エレメントと加熱エレメント支持体の支持体外面との間に設けられ（た）」構造と同じ構造を有することとなる。なお，本件発明１において，「１つ以上の隙間」と「多孔性セラミック」の細孔によって形成される隙間とが，物の構造として区別されているものとは認められない（前記４（１））。
　そうすると，本件発明１と甲３発明との間に格別相違するところはないから，本件発明１は甲３発明である，又は甲３発明に基いて，当業者が容易に発明をすることができたものである。
　　（２）　本件発明２
　甲３発明の「多孔質部材８１」のうち長手方向に細長い部分に「電熱線８３」が巻き付けられているから，「電熱線８３」及び「多孔質部材８１」は，「加熱ロッド」を形成しているといえる。
　よって，本件発明２は甲３発明である，又は甲３発明に基いて，当業者が容易に発明をすることができたものである。
　　（３）　本件発明６〜８
　甲３発明の「電熱線８３」はその形状に照らし，「加熱コイル」であるといえ，「多孔質部材８１」の周りに螺旋状に巻かれているものである。
　また，「電熱線８３」のコイルターンと「多孔質部材８１」との間に，「多数の孔」が存在するから，すなわち「隙間」が存在する。
　よって，本件発明６〜８は甲３発明である，又は甲３発明に基いて，当業者が容易に発明をすることができたものである。
　　（４）　本件発明９，１０
　甲３発明の「キャビティ」は，本件発明９，１０の「気化キャビティー」に相当し，その内部に「電熱線８３」を有するものである。
　よって，本件発明９，１０は甲３発明である，又は甲３発明に基いて，当業者が容易に発明をすることができたものである。
　　（５）　本件発明１１
　本件発明１１と甲３発明とは，本件発明１１が「マウスピースセクションを含み，前記気化器はマウスピースセクションの一部である」のに対し，甲３発明は，「たばこボトルアセンブリ」を含むものの，「アトマイザ８」は「たばこボトルアセンブリ」の一部ではない点で相違する。
　しかし，甲３発明のアトマイザ８の配置位置は当業者が適宜決定しうるものであるから，甲３発明において，「アトマイザ８」を「たばこボトルアセンブリ」の一部とすることは，当業者にとって格別困難なことではない。
　よって，本件発明１１は，甲３発明に基いて，当業者が容易に発明をすることができたものである。
　　（６）　本件発明１２〜１５
　甲３発明の「多孔質部材８１」のうち「電熱線８３」が巻き付けられている部分は，長手方向に細長いものである。
　甲６には，蒸発面の面積を増やし，蒸発量を増やすために，側面を波形状にする点が記載されており（【００３９】，図４），甲３発明において限られた大きさの範囲内で所定の蒸発量を得るといった課題は当然に内在するから，甲３発明においてこのような手法を採用し，「多孔質部材８１」の側面に側部流路を設けることは，当業者が適宜なしうるものである。なお，甲６に係る技術は，多孔質材料を利用した蒸発に係る技術である点で，甲３発明と共通しており，加熱手段の有無は適用を阻害するほどの事情とは認められない。
　また，「多孔質部材８１」は，外面に形成される開口の形状・構造に照らし，「窪んだ表面」を有するといえる。
　よって，本件発明１２〜１５は甲３発明である，又は甲３発明及び甲６に記載された事項に基いて，当業者が容易に発明をすることができたものである。
　　（７）　本件発明１６〜２１
　甲６に記載された「高分子多孔質加湿フィルタ３０」を参酌しても，甲３発明において，「多孔質部材８１」の断面形状を多角形，幅の狭い矩形とすること，４本又は８本の腕部を有するものも含め，十字形状とすることの動機付けは認められない。
　甲７，８，参考資料６に記載された事項（前記４（７））を参酌しても，甲３発明において，「多孔質部材８１」の断面形状を楕円形とすることは，単なる設計変更とは認められない。
　甲５に記載された事項（前記４（７））を参酌しても，甲３発明において，「多孔質部材８１」の断面形状を３つの円が重なって一緒になったものと等しいものとすることの動機付けは認められない。
　よって，本件発明１６〜２１は，甲３発明及び甲５〜８に記載された事項に基いて，当業者が容易に発明をすることができたものであるとは認められない。
　　（８）　本件発明２２〜２５
　甲９発明の「面状複合体２２」は長手方向に細長く，平坦な形状を有しており，「平坦な基板」であるといえるが（後記６（７）），この点を，甲３発明の「多孔質部材８１」に適用することの動機付けは認められない。
　甲１０，１１に記載された事項（前記４（８））を参酌しても，甲３発明において，本件発明２３〜２５のように構成することが，当業者にとって容易であるとは認められない。
　よって，本件発明２２〜２５は，甲３発明及び甲９〜１１に記載された事項に基いて，当業者が容易に発明をすることができたものであるとは認められない。
　　（９）　本件発明２６
　甲３発明の「液体収容有孔部材９」，「空気路ｂ１」は，それぞれ，本件発明２６の「液体貯蔵部」，「空気出口」に相当し，甲３発明の「多孔質部材８１」は，本件発明２６の「吸い上げエレメント」と同じ機能を発揮している。
　よって，本件発明２６は甲３発明である，又は甲３発明及び甲６に記載された事項に基いて，当業者が容易に発明をすることができたものである。
　　（１０）　本件発明２７
　甲３発明の「アトマイザ８」は，本件発明２７の「気化器」に相当する。
　よって，本件発明２７は甲３発明である，又は甲３発明及び甲６に記載された事項に基いて，当業者が容易に発明をすることができたものである。
　６　甲９に関し
　　（１）　本件発明１
　本件発明１と甲９発明とを，その有する機能に照らして対比すると，甲９発明の「エネルギ貯蔵器１２」，「吸入器コンポーネント２」，「吸入器」は，それぞれ，本件発明１の「動力電池」，「気化器」，「電子蒸気供給装置」に相当し，甲９発明の「面状複合体２２」は「発熱体」の層と「芯」の層とからなるところ，「発熱体」は，本件発明１の「加熱エレメント」と同じ機能を発揮している。
　また，甲９発明の「芯」は，その上に「発熱体」が積層されているものであって，この構造により「発熱体」は「芯」により支持されていることは明らかであるから，本件発明１の「加熱エレメント支持体」に相当する。
　そして，甲９発明の「芯」は，「毛管構造を有し，石英ガラスから，例えば粒状又は繊維状の焼結複合体の形態で形成することができる」ものであるから，多孔性のセラミック材と認められる。
　その場合，芯の多数の孔が「発熱体」と「芯」の外面との間に存するといえ，「発熱体」とこの「多数の孔」との間は，本件発明１の「隙間」に相当する。すなわち，甲９発明は，本件発明１の「１つ以上の隙間が加熱エレメントと加熱エレメント支持体の支持体外面との間に設けられ（た）」構造と同じ構造を有することとなる。なお，本件発明１において，「１つ以上の隙間」と「多孔性セラミック」の細孔によって形成される隙間とが，物の構造として区別されているものとは認められない（前記４（１））。
　さらに，甲９発明の「芯」はその材質に照らし硬質といえるから（前記参考資料１〜３），本件発明１の「加熱エレメント支持体」と同様に，「多孔性セラミック材を含む硬質の支持体」である。
　そうすると，本件発明１と甲９発明との間に格別相違するところはないから，本件発明１は甲９発明である，又は甲９発明に基いて，当業者が容易に発明をすることができたものである。
　　（２）　本件発明２，６〜８
　甲９発明の「面状複合体２２」を「加熱ロッド」とすることの動機付けは認められない。
　甲９発明の「発熱体」を「加熱コイル」とすることの動機付けは認められない。
　よって，本件発明２，６〜８は，甲９発明に基いて，当業者が容易に発明をすることができたものであるとは認められない。
　　（３）　本件発明９，１０
　甲９発明の「チャンバ２１」は，本件発明９，１０の「気化キャビティー」に相当し，その内部に「面状複合体２２」を有するものである。
　よって，本件発明９，１０は甲９発明である，又は甲９発明に基いて，当業者が容易に発明をすることができたものである。
　　（４）　本件発明１１
　甲９発明の「吸入器コンポーネント２」は「マウスピース５」を有しているから，本件発明１１の「マウスピースセクション」にも相当する。
　よって，本件発明１１は甲９発明である，又は甲９発明に基いて，当業者が容易に発明をすることができたものである。
　　（５）　本件発明１２〜１７
　甲９発明の「面状複合体２２」は，「チャンバ２１を貫いて延びて」いるものであるから，「芯」は長手方向に長いものである。
　甲６には，蒸発面の面積を増やし，蒸発量を増やすために，側面を波形状にする点が記載されており（【００３９】，図４），甲９発明において限られた大きさの範囲内で所定の蒸発量を得るといった課題は当然に内在するから，甲９発明においてこのような手法を採用し，「芯」の側面に側部流路を設けることは，当業者が適宜なしうるものである。なお，甲６に係る技術は，多孔質材料を利用した蒸発に係る技術である点で，甲９発明と共通しており，加熱手段の有無は適用を阻害するほどの事情とは認められない。
　また，「芯」は，多孔質のセラミック材であるから，外面に形成される開口の形状・構造に照らし，「窪んだ表面」を有するといえる。
　そして，「面状複合体２２」の形状からして，「芯」は断面が幅の狭い矩形であるといえる（甲９図１２，１３）。
　よって，本件発明１２〜１７は甲９発明である，又は甲９発明及び甲６に記載された事項に基いて当業者が容易に発明をすることができたものである。
　　（６）　本件発明１８〜２１
　甲９に記載された「線状複合体３９」（前記３（１）（【０１０５】，【０１０６】，図１６，１６ａ））を参酌しても，甲９発明において，「芯」の断面形状を楕円形とすることは，単なる設計変更とは認められない。
　甲５に記載された事項（前記４（７））を参酌しても，甲９発明において，「芯」の断面形状を３つの円が重なって一緒になったものと等しいものとすることの動機付けは認められない。
　甲６に記載された「高分子多孔質加湿フィルタ３０」を参酌しても，甲９発明において，「芯」の断面形状を４本又は８本の腕部を有するものも含め，十字形状とすることの動機付けは認められない。
　よって，本件発明１８〜２１は，甲９発明及び甲５，６に記載された事項に基いて，当業者が容易に発明をすることができたものであるとは認められない。
　　（７）　本件発明２２，２５
　甲９発明の「面状複合体２２」は長手方向に細長く，平坦な形状を有しており，「芯」が多孔質のセラミック材であるから，「穴を有する」，「平坦な基板」であるといえる。
　よって，本件発明２２，２５は甲９発明である，又は甲９発明に基いて，当業者が容易に発明をすることができたものである。
　　（８）　本件発明２３，２４
　甲１０，１１に記載された事項（前記４（８））を参酌しても，甲３発明において，本件発明２３，２４のように構成することが，当業者にとって容易であるとは認められない。
　　（９）　本件発明２６
　甲９発明の「エネルギ貯蔵器１２」，「マウスピース通路６６」は，それぞれ，本件発明２６の「液体貯蔵部」，「空気出口」に相当し，甲９発明の「芯」は，本件発明２６の「吸い上げエレメント」と同じ機能を発揮している。
　よって，本件発明２６は甲９発明である，又は甲９発明及び甲６に記載された事項に基いて，当業者が容易に発明をすることができたものである。
　　（１０）　本件発明２７
　甲９発明の「吸入器コンポーネント２」は，本件発明２７の「気化器」に相当する。
　よって，本件発明２７は甲９発明である，又は甲９発明及び甲６に記載された事項に基いて，当業者が容易に発明をすることができたものである。
　７　まとめ
　以上のとおり，本件発明１，２，６〜１７，２２，２５〜２７は，甲３発明，甲９発明である，又は甲１発明，甲３発明，甲９発明及び甲３，６に記載された事項に基いて，当業者が容易に発明をすることができたものである。
　また，本件発明１８〜２１，２３，２４は，甲３発明，甲９発明である，又は甲１発明，甲３発明，甲９発明及び甲５〜１１に記載された事項に基いて，当業者が容易に発明をすることができたものであるとは認められない。
第６　取消理由３（２９条の２）について
　１　甲１３に記載された事項（訳は，特許異議申立書１１３〜１１７頁に記載のものによる。）
　・「[0001] An electronic cigarette 100 is described in WO 2011/124033 and shown in Figure 1. The electronic cigarette 100 uses a liquid from a liquid supply 112 to form an aerosol. As shown, a wick 106 is in communication with the liquid in the liquid supply 112 and with a heater 104 that is powered by a power supply 114. The heater 104 is operable to heat the liquid to a temperature sufficient to vaporize the liquid material. In use, the heater 104 is activated by a puff sensor when a consumer draws on the mouthpiece 102. The puff sensor electrically connects the heater 104 to the power supply 114. As the smoker takes a puff, air is drawn in through at least one air inlet. The air travels to a central air passage 108 which directs air to the heater 104 as air passes through the central passage 108 from the air inlet. The heater 104 heats the liquid material to a temperature sufficient to vaporize the material and form an aerosol. The aerosol is drawn into the mouthpiece 102.」
　（電子シガレット１００は，ＷＯ２０１１／１２４０３３及び図１に示されている。電子シガレット１００は，液体供給源１１２からの液体をエアロゾル形成に用いる。図示されているように，ウィック１０６は，液体供給源１１２内にある液と，電源１１４によって電力が供給されるヒータ１０４と，に接続される。ヒータ１０４は，液体材料を気化させるのに十分な温度に液体を加熱できる。使用時において，消費者がマウスピース１０２を吸引したときに，パフセンサによってヒータ１０４が活性化される。喫煙者がパフを行うと，少なくとも１つの空気吸入口を介して空気が吸引される。空気が空気吸入口から中央通路１０８を通過するときに，空気は，空気を加熱器１０４に導く中央空気通路１０８に移動する。ヒータ１０４は，液体材料を気化させるのに十分な温度に材料を加熱しエアロゾルを形成する。エアロゾルは，マウスピース１０２内に吸引される。」
　・「 [0021] As shown in Figures 2, 5, 7,9, 10 and 14, a novel electronic cigarette60 comprises a replaceable cartridge (or first section) 70 and a reusable fixture (or second section) 72, which are coupled together at a threaded joint 205 or by other convenience such as a snug-fit, detent, clamp and/or clasp. The cartridge 201 includes an outer tube 6 (or casing) extending in a longitudinal direction and an inner tube 62 coaxially positioned within the outer tube 6. 」 
　（図２，５，７，９，１０及び１４に示すように，新規な電子シガレット６０は，交換可能なカートリッジ（又は第１の部分）７０と，再使用可能な固定具（又は第２の部分）７２とを有し，それらは，ねじ継ぎ手２０５の位置で，又は他のぴったりフィット，回り止め，クランプ及び／又は留め具などの便利なものによって，互いに連結される。カートリッジ２０１は，長手方向に延びる外側チューブ６（又はケーシング）と，外側チューブ６内に同軸に配置される内側チューブ６２と，を有する。）
　・「[0022] ・・・The wick 28 is preferably a fibrous and/or porous material which is capable of drawing liquid via capillary action. A power supply 1 in the fixture 203 is operable to apply voltage across the heater 14.」
　（ウィック２８は，毛管作用によって液体を引き出すことができ，好ましくは繊維状及び／又は多孔質材料である。固定具２０３の電源１は，ヒータ１４に電圧を印加するように動作可能である。）
　・「[0023] The electronic cigarette 60 further includes a mouthpiece 8 having at least two off-axis, preferably diverging outlets 24.」
　（電子シガレット６０はさらに，マウスピース８を含み，マウスピース８は，少なくとも２つの軸外の，好ましくは発散出口２４を有する。）
　・「[0029] In one embodiment, the heater 14 comprises a wire coil which at least partially surrounds the wick 28. In that embodiment, preferably the wire is a metal wire and/or the heater coil may extend fully or partially along the length of the wick 28. The heater coil may extend fully or partially around the circumference of the wick 28. In another embodiment, the heater coil is not in contact with the wick 28.」
　（一実施形態では，ヒータ１４は，ウィック２８を少なくとも部分的に取り囲む。その実施形態では，ワイヤは，金属ワイヤ及び／又はヒータコイルであり，ウィック２８の周囲に完全に又は部分的に延びてもよい。別の実施形態では，ヒータコイルは，ウィック２８と接触していない。）
　・「[0031] In the preferred embodiment, the wick comprises a porous ceramic wick or ceramic fibers. As noted above, the wick 28 is at least partially surrounded by the heater 14. Moreover, in the preferred embodiment, the wick 28 extends through opposed openings in the inner tube such that each end of the wick 28 is in contact with the liquid supply reservoir 22.」
　（好ましい実施形態では，ウィックは，多孔質セラミックウィック又はセラミック繊維である。上述したように，ウィック２８は，少なくとも部分的にヒータ１４に囲まれている。さらに，好ましい実施形態では，ウィック２８は，内側チューブ内の対向する開口部を通り，ウィック２８の各端部が液体供給リザーバ２２と接触する。）
　・「[0032] In the preferred embodiment, the wick 28 is fibrous. For example,the wick 28 may include a plurality of fibers or threads. The fibers or threads may be generally aligned in a direction perpendicular to the longitudinal direction of the electronic cigarette. In the preferred embodiment, the structure of the wick 28 is formed of a porous ceramic material through which the liquid can be transported to the heater 14 by capillary action. The wick 28 can include fibers having a crosssection which is generally cross-shaped, clover-shaped, Y-shaped or in any other suitable shape.」
　（好ましい実施形態では，ウィック２８は繊維状である。例えば，ウィック２８は，複数の繊維又は糸を含むことができる。繊維又は糸は，一般的には，電子タバコの長手方向に垂直な方向に整列しうる。好ましい実施形態では，ウィック２８の構造は，多孔性セラミック材料から形成され，これを通って液体が毛細管現象によりヒータ１４に輸送されうる。ウィック２８は，一般に十字形，クローバー形，Ｙ形又は他の任意の適切な形，の断面を有する繊維を含みうる。）
　・「[0034] Instead of using a wick, the heater can be a porous material which incorporates a resistance heater formed of a material having a high electrical resistance capable of generating heat quickly.」
　（ウィックを使用する代わりに，ヒータは，熱を急速に発生できる高抵抗性を有する材料で形成した抵抗ヒータを組み込む多孔質材料とすることができる。）
　・「[0038] The battery can be a Lithium-ion battery or one of its variants, for example a Lithium-ion polymer battery.」
　（電池は，リチウムイオン電池又はその変形例のうちの１つ，例えば，リチウムイオン高分子電池，であってもよい。）
　・「[0053] Preferably, the mouthpiece 8 is integrally affixed within the tube 6 of the cartridge 70.」
　（マウスピース８は，好ましくは，カートリッジ７０のチューブ６内に一体的に固定されている。）
　・「[0054] In a preferred embodiment, the electronic cigarette 60 also includes various embodiments of air flow diverter means which are shown in Figures 5, 7 and 9. The air flow diverter means is operable to manage air flow at or about around the heater so as to abate a tendency of drawn air to cool the heater which could otherwise lead to diminished aerosol output.」
　（好ましい実施形態では，電子シガレット６０はまた，図５，７及び９に示される空気流そらし手段の様々な実施形態を含む。空気そらし手段は，吸入空気がヒータを冷却する傾向（そうでなければこれがエアロゾル出力を低下させる）を緩和するように，ヒータ又はヒータ周りの空気流を管理するように動作可能である。）
　２　甲１４に記載された事項及び発明
　　（１）　甲１４に記載された事項
　・「【００１２】
（シガレット構造）
　次に図１，２及び３につき説明すると，第１セクション７０は，長手方向に延在する外側チューブ（ケーシング）６と，外側チューブ６内に同軸状に位置決めした内側チューブ（チムニー）６２とを有する。好適には，上流側のガスケット（又はシール）１５のノーズ部分６１（図３Ａ参照）を内側チューブ６２の上流端部部分６５に嵌合するとともに，同時にガスケット１５の外径部６７は，外側ケーシング６の内面に液密シールを生ずる。」
　・「【００３７】
（吸口端部インサート）
　図２，３ａ，４，５，６，７及び１７につき説明すると，第１セクション７０には，少なくとも２個の発散出口通路２４（例えば，３，４，５個又はそれ以上，好適には，２〜１０個の出口又はそれ以上，より好適には６〜８個の出口，より好適には２〜６個の出口通路２４，又は４個の出口通路２４）を有する吸口端部インサート８を設ける。」
　・「【００４５】
　上述したように，吸口端部インサート８は，エアロゾルが電子シガレットから吸込まれるときエアロゾルの方向が分散及び変化して口内に充満する感覚を生ずるようにする。エアロゾルが形成されるとき，エアロゾルは内側チューブ６２の中心チャネル２１を通過し，また下流側ガスケット１０の中心チャネル８４を通過する。初期プロトタイプのパネル検査において，幾人かのパネリストが，複数個の発散出口通路２４及び約１.３ｍｍ直径の中心チャネル８４を有する吸口端部インサートを有するよう構成した電子シガレットを喫煙するとき唇における「熱い」という感覚を報告した。しかし，その代わりに中心チャネル８４の内径が約２.６ｍｍであった電子シガレットでは，「熱い」感覚の報告はほぼなかった。」
　・「【００５１】
（回路並びにヒータ一定性能，ホットスポット及びカルボニル軽減を改善する合金）
　好適な実施形態において，電源１は，電子シガレット６０に配置したバッテリを有し，アノード４７ａをカソード４９ａの下流に配置する。第２セクション７２のバッテリアノードポスト４７ｂは，好適には，バッテリアノード４７ａに接触するようにする。」
　・「【００５７】
　好適には，少なくとも１個の空気流入口４５（図１参照）をパフセンサ１６に隣接配置し，パフセンサ１６が喫煙者のパフを示す空気流を感知し，電源１及びヒータ作動ライト４８を作動させ，ヒータ１４が動作していることを示す。」
　・「【００７３】
　一実施形態において，ヒータ１４は，ウィック２８を少なくとも部分的に包囲するワイヤコイルを有する。装置の実施形態において，好適には，ワイヤは金属ワイヤとする，及び／又はヒータコイルはウィック２８の長さの全体又は部分に沿って延在させることができる。ヒータコイル１４はウィック２８の周囲の全体又は部分に沿って延在させることができる。他の実施形態において，ヒータコイルはウィック２８に接触させない。
【００７４】
　好適には，ヒータ１４はウィック２８内の液体に熱伝導によって加熱する。代案として，ヒータ１４からの熱を液体に熱伝導素子によって伝達するか，又はヒータ１４が熱を電子シガレット６０に吸込まれて入来する外気に伝達し，この外気が対流によって液体を加熱する。
【００７５】
　一実施形態において，ウィック２８は，液体を吸込む能力を有するセラミックフィラメントによるセラミックウィックを有する。上述したように，ウィック２８はヒータ１４により少なくとも部分的に包囲される。さらに，好適な実施形態において，ウィック２８は内側チューブ６２における互いに対向する溝孔６３に貫通させて，ウィック２８の各端部が液体供給源領域２２（図２参照）に接触するようにする。
【００７６】
　好適な実施形態において，ウィック２８は，フィラメントを有し，またガラスフィラメントの束を有する。例えば，ウィック２８は複数のフィラメントを含むものとする。フィラメント又はスレッドは概して電子シガレットの長手方向に直交する（横）方向に整列させる。好適には，ウィック２８は，１〜８本のフィラメント，より好適には，２〜６本のフィラメントを有する。好適な実施形態において，ウィック２８は３本のストランド（撚線）を有し，各ストランドは，互いに撚り合わせた複数のガラスフィラメントを有する。
【００７７】
　好適な実施形態において，ウィック２８の構成は，液体をヒータ１４に毛細管作用により輸送するフィラメントで形成する。ウィック２８は，ほぼ十字状，クローバー形状，Ｙ字形状，又は任意な他の適当な形状の断面を有するフィラメントを有するものとすることができる。
【００７８】
　好適には，ウィック２８は任意の適当な材料又は材料の組合せを有する。適当な材料の例としては，ガラス，セラミックベース又はグラファイトベースの材料とする。さらに，ウィック２８は，エアロゾルを発生する液体であって，例えば，濃度，粘度，表面張力及び蒸気圧力のような異なる物理的特性を有する液体を受容する任意の適当な毛細管吸込み作用を有することができる。ウィック２８の毛細管特性は，液体の特性との兼ね合いにより，ウィック２８はヒータ１４の領域で常に湿潤し，ヒータ１４の過加熱を確実に回避する。
【００７９】
　ウィック２８を使用する代わりに，ヒータ１４は，熱を急速に発生できる高抵抗性を有する材料で形成した抵抗ヒータを組込む多孔質材料とすることができる。」
　　（２）　甲１４に記載された発明
　甲１３及び甲１４に記載された事項及び図面の記載からすると（甲１４に係る出願は，甲１３に係る出願に基づいて優先権を主張するものである。），甲１４に係る出願の願書に最初に添付された明細書，特許請求の範囲又は図面には以下の発明が記載されているといえる（以下「甲１４発明」という。）。
　「電源１と第１セクション７０とを含み，第１セクション７０はヒータコイル１４とウィック２８とを含み，ヒータコイル１４はウィック２８を包囲し，ウィック２８は，多孔性セラミック材を含み，十字状形，クローバー形状，Ｙ字形状又は任意な他の適当な形状の断面を有するフィラメントを有するものとすることができる電子シガレットであって，
　ヒータコイル１４はワイヤコイルであり，
　ヒータコイル１４はウィック２８の周りを螺旋状に包囲しており，
　第１セクション７０の内側チューブ６２は，使用時に消費者に吸引されて負圧領域になるように構成されている気化キャビティーをさらに含み，
　ヒータコイル１４は，内側チューブ６２の内側にあり，
　第１セクション７０は吸口端部インサート８を有し，
　ウィック２８は長手方向に細長いものであり，
　さらに液体供給リザーバ２２と，
　ヒータコイル１４から気化された液体が通過する発散出口２４とを含み，
　ウィック２８は，液体を液体供給リザーバ２２から液体を気化させるためのヒータコイル１４に吸い上げるように構成されており，
　電源１がヒータコイル１４に電力を供給するためのものである電子シガレット。」
　３　対比及び判断
　　（１）　本件発明１
　　　ア　本件発明１と甲１４発明とを，その有する機能に照らして対比すると，甲１４発明の「電源１」，「第１セクション７０」，「ヒータコイル１４」，「電子シガレット」は，それぞれ，本件発明１の「動力電池」，「気化器」，「加熱エレメント」，「電子蒸気供給装置」に相当する。
　また，甲１４発明の「ウィック２８」は，その機能に照らすと，本件発明１の「加熱エレメント支持体」に対応する部材である。
　ところで，「ウィック２８」は内側チューブ内の対向する孔を貫通し，各端部が液体供給「リザーバ２２」と接触するように配置され（前記２（【００７５】）），「ヒータコイル１４」が「ウィック２８」を包囲するものであるところ，「他の実施形態において，ヒータコイルはウィック２８に接触させない。」（甲１４【００７４】）と記載されていることからすると，甲１４発明はヒータコイル１４をウィック２８に接触させる，すなわち，「ヒータコイル１４」が「ウィック２８」の外面の上に位置している形態も想定していることがわかる（この点は，甲１，３，９に記載されているように，加熱手段と芯とを接触して配置することが従前より広く知られていることからも，窺い知ることができる。）。
　そして，「ウィック２８」は「多孔性セラミック材」からなり，その材質に照らし硬質であるから（前記参考資料１〜３参照），「ヒータコイル１４」が「ウィック２８」の外面の上に位置している構造により，「ヒータコイル１４」が「ウィック２８」により支持されていることは明らかである。
　よって，甲１４発明の「ウィック２８」は，本件発明１の「加熱エレメント支持体」に相当し，同様に，「多孔性セラミック材を含む硬質の支持体」である。
　　　イ　その場合，ウィック２８の外面に開口した多数の孔が，「ヒータコイル１４」と「ウィック２８」の外面との間に存するといえ，「ヒータコイル１４」とこの「多数の孔」との間は，本件発明１の「隙間」に相当する。すなわち，甲１４発明は，本件発明１の「１つ以上の隙間が加熱エレメントと加熱エレメント支持体の支持体外面との間に設けられ（た）」構造と同じ構造を有することとなる。なお，本件発明１において，「１つ以上の隙間」と「多孔性セラミック」の細孔によって形成される隙間とが，物の構造として区別されているものとは認められない（前記第５・４（１））。
　　　ウ　また，甲１４発明の「ウィック２８」は，「十字状形，クローバー形状，Ｙ字形状又は任意な他の適当な形状の断面を有するフィラメントを有する」から，その場合，「ヒータコイル１４」と「ウィック２８」との間には，必然的に隙間が形成されることとなる。なお，本件発明１において，「１つ以上の隙間」とこのような隙間とが，物の構造として区別されているものとは認められない。
　　　エ　そうすると，本件発明１と甲１４発明との間に格別相違するところはないから，本件発明１は甲１４発明と同一である。
　　（２）　本件発明２
　　甲１４発明の「ウィック２８」は長手方向に細長いものであり，「ヒータコイル１４」が包囲しているものであるから，「ヒータコイル１４」及び「ウィック２８」は，「加熱ロッド」を形成しているといえる。
　よって，本件発明２は，甲１４発明と同一である。
　　（３）　本件発明６〜８
　甲１４発明の「ヒータコイル１４」は「ワイヤコイル」であるから，「加熱コイル」であり，「ウィック２８」の周りに螺旋状に包囲しているものである。
　また，「ヒータコイル１４」のコイルターンと「ウィック２８」との間に，多孔性セラミック材に係る「多数の孔」が存在するから，すなわち「隙間」が存在し，「ウィック２８」が「十字状形，・・・の断面を有するフィラメントを有する」から，「隙間」が存在する。
　よって，本件発明６〜８は甲１４発明と同一である。
　　（４）　本件発明９，１０
　甲１４発明の「気化キャビティー」は，本件発明９，１０の「気化キャビティー」に相当し，その内部に「ヒータコイル１４」を有するものである。
　よって，本件発明９，１０は甲１４発明と同一である。
　　（５）　本件発明１１
　甲１４発明の「第１セクション７０」は「吸口端部インサート８」を有しているから，本件発明１１の「マウスピースセクション」にも相当する。
　よって，本件発明１１は甲１４発明と同一である。
　　（６）　本件発明１２〜１５
　甲１４発明の「ウィック２８」は，長手方向に細長いものである。
　甲１４発明の「ウィック２８」は，「十字状形，クローバー形状，Ｙ字形状又は任意な他の適当な形状の断面を有するフィラメントを有する」から，その場合，「ヒータコイル１４」と「ウィック２８」との間には，必然的に長手方向に延びた隙間が形成されることとなり，流路となりうるものである。
　また，「ウィック２８」は，外面に形成される開口の形状・構造や「十字状形，・・・の断面を有するフィラメントを有する」ことに照らし，「窪んだ表面」を有するといえる。
　よって，本件発明１２〜１５は甲１４発明と同一である。
　　（７）　本件発明１６，１７，１９〜２１
　甲１４発明の「ウィック２８」が，「十字状形，クローバー形状，Ｙ字形状又は任意な他の適当な形状の断面を有するフィラメントを有する」ことを考慮しても，「ウィック２８」の断面は，多角形，３つの円が重なって一緒になったものと等しい，十字形状であるとは認められない。
　よって，本件発明１６，１７，１９〜２１は甲１４発明と同一であるとは認められない。
　　（８）　本件発明２２，２４
　甲１４発明の「ウィック２８」は，平坦な基板であるとは認められないから，本件発明２２，２４は甲１４発明と同一であるとは認められない。
　　（９）　本件発明２６
　甲１４発明の「液体供給リザーバ２２」，「発散出口２４」は，それぞれ，本件発明２６の「液体貯蔵部」，「空気出口」に相当し，甲１４発明の「ウィック２８」は，本件発明２６の「吸い上げエレメント」と同じ機能を発揮している。
　よって，本件発明２６は甲１４発明と同一である。
　　（１０）　本件発明２７
　甲１４発明の「第１セクション７０」は，本件発明２７の「気化器」に相当する。
　よって，本件発明２７は甲１４発明と同一である。
　４　まとめ
　以上のとおり，本件発明１，２，６〜１５，２６，２７は，甲１４発明と同一である。
　また，本件発明１６，１７，１９〜２２，２４は，甲１４発明と同一であるとは認められない。
　なお，本件発明１８，２３，２５は，取消理由３（異議申立ての理由【４】）の対象とされていない。
第７　取消理由４（３６条４項１号）及び取消理由５（３６条６項２号）について
　本件訂正により，訂正前の「支持外方面」なる記載に関する点の不備は解消された。
　他に，発明の詳細な説明，特許請求の範囲の記載に不備は認められない。
第８　本件特許の請求項３〜５についての特許異議の申立てについて
　前記第２のとおり，本件訂正が認められるので，本件特許の請求項３〜５についての特許異議の申立ては，その対象が存在しないものとなった。
　よって，本件特許の請求項３〜５についての特許異議の申立ては，不適法であって，その補正をすることができないものであることから，特許法１２０条の８第１項で準用する同法１３５条の規定により，却下すべきものである。
第９　むすび
　以上のとおり，本件特許明細書及び特許請求の範囲を訂正請求書に添付された訂正明細書及び特許請求の範囲のとおり訂正することを認める。
　本件発明１，２，６〜１７，２２，２５〜２７は，甲３発明，甲９発明である，甲１発明，甲３発明，甲９発明及び甲３，６に記載された事項に基いて，当業者が容易に発明をすることができたものである，又は甲１４発明と同一であるから，本件発明１，２，６〜１７，２２，２５〜２７に係る特許は特許法２９条又は２９条の２の規定に違反してされたものであり，同法１１３条２号に該当し，取り消されるべきものである。
　本件発明１８〜２１，２３，２４に係る特許は，特許法２９条又は２９条の２の規定に違反してされたものとは認められず，同法３６条４項１号又は６項に規定する要件を満たしていない特許出願に対してされたものとは認められないから，取消理由１〜５により，取り消すことはできない。他に本件発明１８〜２１，２３，２４に係る特許を取り消すべき理由を発見しない。
　本件特許の請求項３〜５についての特許異議の申立ては，特許法１２０条の８第１項で準用する同法１３５条の規定により却下する。
　よって，結論のとおり決定する。
【異議決定日】
平成３０年４月２５日（２０１８．４．２５）
【訂正の要旨】
審決（決定）の【理由】欄参照。
（５４）【発明の名称】
電子蒸気供給装置
　【技術分野】
　【０００１】
　本明細書は電子蒸気供給装置に関する。
　【背景技術】
　【０００２】
　電子紙巻きタバコなどの電子蒸気供給装置は、通常紙巻きタバコと同じサイズであり、マウスピースに吸引力を加えることによって液体貯蔵部からニコチンを含む蒸気をユーザーに吸引させることによって機能する。いくつかの電子蒸気供給装置は、ユーザーが吸い込みによる力を加えてヒーターコイルを加熱して、液体を気化させる際に作動する気流センサーを備えている。
　【発明の概要】
　【発明が解決しようとする課題】
　【０００３】
　ある実施態様では動力電池と気化器とを含む電子蒸気供給装置が提供され、この気化器は加熱エレメントと加熱エレメント支持体とを含み、隙間が加熱エレメントと加熱エレメント支持体との間に設けられている。加熱エレメントは加熱エレメント支持体の外側にあってもよい。さらに加熱エレメント支持体は
支持体外面
支持体外面
　【０００４】
　別の実施態様では加熱エレメントと加熱エレメント支持体とを含む蒸気供給装置に使用するための気化器が提供され、隙間が加熱エレメントと加熱エレメント支持体との間に設けられている。
　【０００５】
　別の実施態様では液体貯蔵部と、液体を液体貯蔵部から液体を気化させるための加熱エレメントに吸い上げるように構成された吸い上げエレメントと、加熱エレメントによって製せられた気化された液体のための空気出口と、加熱エレメント支持体とを含む電子蒸気供給装置が提供され、隙間が加熱エレメントと加熱エレメント支持体との間に設けられている。
　【０００６】
　電子蒸気供給装置は加熱エレメントに動力を供給するための動力電池を含んでもよい。
　【０００７】
　本開示がより良好に理解されるようにそして例示的実施態様がいかにして実施されるかを示すために添付図面を参照して以下に詳しく説明する。
　【図面の簡単な説明】
　【０００８】
　【図１】電子紙巻きタバコの側面斜視図である。
　【図２】垂直コイルを有する電子紙巻きタバコの略式断面図である。
　【図３】平行コイルを有する電子紙巻きタバコの略式断面図である。
　【図４】加熱エレメントコイルの側面斜視図である。
　【図５】窪んだ表面を有する円筒状の加熱エレメント支持体の側面斜視図である。
　【図６】加熱エレメントコイルと窪んだ表面を有する加熱エレメント支持体の側面斜視図である。
　【図７】溝を有する加熱エレメント支持体の側面斜視図である。
　【図８】加熱エレメントコイルと溝を有する加熱エレメント支持体の側面斜視図である。
　【図９】図７の加熱エレメント支持体の端面図である。
　【図１０】図８の加熱エレメントコイルと支持体の端面図である。
　【図１１】コイルと溝を有する加熱エレメント支持体の端面図である。
　【図１２】コイルと環状の断面を有する加熱エレメント支持体の端面図である。
　【図１３】コイルと楕円の断面を有する加熱エレメント支持体の端面図である。
　【図１４】コイルと平坦な断面を有する加熱エレメント支持体の端面図である。
　【図１５】コイルと４つの腕部がクロスした断面を有する加熱エレメント支持体の端面図である。
　【図１６】コイルと８つの腕部がクロスした断面を有する加熱エレメント支持体の端面図である。
　【図１７】コイルと八角形の断面を有する加熱エレメント支持体の端面図である。
　【図１８】コイルと三角形の断面を有する加熱エレメント支持体の端面図である。
　【図１９】コイルと正方形の断面を有する加熱エレメント支持体の端面図である。
　【図２０】コイルと六角形の断面を有する加熱エレメント支持体の端面図である。
　【図２１】コイルと五角形の断面を有する加熱エレメント支持体の端面図である。
　【図２２】コイルと３つの円が一緒になった断面を有する加熱エレメント支持体の端面図である。
　【図２３】加熱エレメント支持体基板と加熱エレメントの前面図である。
　【図２４】加熱エレメント支持体とこれを通り抜ける加熱エレメントの前面図である。
　【発明を実施するための形態】
　【０００９】
　ある実施態様において動力電池と気化器とを含む電子蒸気供給装置が提供され、気化器は加熱エレメントと加熱エレメント支持体とを含み、隙間が加熱エレメントと加熱エレメント支持体との間に設けられている。
　【００１０】
　加熱エレメントと支持体を別個に有することによって、加熱エレメントを小さく構成することが可能になる。このことは小さい加熱エレメントは効率的に加熱されるので有利である。加熱エレメントと加熱エレメント支持体との間に隙間を設けることによって、液体を気化のために隙間領域に集め、貯蔵することができる。また隙間は液体を加熱エレメントに吸い上げる機能を果たすことができる。また加熱エレメントと支持体との間に隙間を設けることは、露出する加熱エレメントの表面積が大きくなることを意味し、これにより加熱および気化のための表面積を大きくすることができる。
　【００１１】
　加熱エレメントは加熱エレメント支持体の外側にあってもよい。さらに加熱エレメント支持体は
支持体外面
支持体外面
　【００１２】
　加熱エレメントと加熱エレメント支持体は加熱ロッドを形成してもよい。加熱エレメント支持体は、例えば硬質の支持体であってもよく、および／または加熱エレメント支持体は中実であってもよい。硬質または中実の支持体によりより脆弱であるが、より効率的な加熱エレメントを使用することができるという利点が得られる。この支持体と加熱エレメントを組み合わせることにより、より頑丈な加熱ロッドが得られる。
　【００１３】
　加熱エレメント支持体は多孔性であってもよい。例えば、加熱エレメント支持体は多孔性セラミック材を含んでもよい。多孔性の支持体を用いることにより液体を多孔性の支持体に貯蔵することができる。従って液体を簡単に加熱エレメントによる気化のために支持体と接触する加熱エレメントに移行させることができる。また加熱エレメントと支持体との間の隙間によって液体を多孔性の支持体から加熱エレメント上にそして貯蔵のための多孔性の支持体の両方に吸い上げることが可能になる。
　【００１４】
　加熱エレメントは加熱エレメント支持体の周りに形成することができる。例えば加熱エレメントは加熱コイルであってもよい。さらに加熱コイルは支持体の周りに螺旋状に巻かれてもよい。加熱コイルは、例えばワイヤーコイルであってもよい。コイルターンと加熱エレメント支持体との間に隙間があってもよい。コイルターンと加熱エレメント支持体との間に複数の隙間があってもよい。
　【００１５】
　支持体に巻かれた加熱エレメントを有することによって頑丈な構造が得られる。また支持体はワイヤーが支持体に巻かれるようにすることでコイルの作製を容易にする。コイルターンと支持体との間に隙間を設けることによって、液体を隙間に吸い上げ、気化のために隙間に保持することができる。特に液体をコイルターンの間のスペースおよびコイルターンと支持体との間の隙間内に吸い上げることができる。
　【００１６】
　気化器はさらに気化キャビティーを含んでもよく、これは使用の際負圧領域になるように構成されている。加熱エレメントの少なくとも一部は、気化キャビティーの内側にあってもよい。さらに電子蒸気供給装置はマウスピースセクションを含んでもよく、気化器はマウスピースセクションの一部であってもよい。
　【００１７】
　特にユーザーが電子蒸気供給装置を介して吸入した際に負圧領域になる気化キャビティーに加熱エレメントを有することによって、液体は直接気化され、ユーザーによって吸入される。
　【００１８】
　加熱エレメント支持体は長手方向に細長いものであってもよい。さらに加熱エレメント支持体はこれに沿って長手方向に延びた側部流路を有してもよい。これとは別にまたはこれに加えて加熱エレメント支持体は、これに沿って長手方向に延びた側部流路を２つ以上含んでもよい。さらに側部流路は、加熱エレメント支持体の周りに実質的に均一に配分されてもよい。
　【００１９】
　支持体の流路は支持体と加熱エレメントとの間に自然に隙間を供する。特にこのような隙間は加熱エレメントが支持体に巻かれたコイルである場合に形成されやすい。従って流路は液体を吸い上げ、貯蔵するために必要な隙間を供する。また露出する加熱エレメントの領域は流路に沿って増加し、これはこの領域での気化の増加につながる。
　【００２０】
　加熱エレメント支持体は非円筒状であってもよい。加熱エレメント支持体は円筒状ではないが、円筒状のようなものであってもよい。加熱エレメント支持体は非円形の断面を有してもよい。さらに加熱エレメント支持体は窪んだ表面を有してもよい。
　【００２１】
　コイルは形成されるときはワイヤーの剛性によって自然に円筒状になるので、非円筒状の支持体はコイルと支持体との間に自然に隙間ができるという利点を有する。これらの隙間は吸い上げ、液体の貯蔵および気化の増加につながる。窪んだ表面を有する円筒状の支持体は、窪んだ領域で支持体とコイルとの間に隙間を供する。横断面は長尺の長さ方向に対して直角な断面である。
　【００２２】
　加熱エレメント支持体の断面形状は多角形であってもよい。例えば、加熱エレメント支持体の断面形状は３つの辺、４つの辺、５つの辺、６つの辺または８つの辺を有してもよい。
　【００２３】
　これとは別に加熱エレメント支持体の断面形状は幅の狭い矩形であってもよい。これとは別に加熱エレメント支持体の断面形状は楕円形であってもよい。これとは別に加熱エレメント支持体の断面形状は３つの円が重なって一緒になったものと等しいものでもよい。
　【００２４】
　これとは別に加熱エレメント支持体の断面形状は十字形状であってもよい。加熱エレメント支持体の断面形状は、４本の腕部がクロスした形状、または８本の腕部がクロスした形状であってもよい。
　【００２５】
　これらの支持体の種々の形状によって、支持体とこれに巻かれた加熱エレメントコイルとの間に自然に隙間が生じる。これらの隙間は吸い上げ、液体の貯蔵および気化の増加につながる。
　【００２６】
　これとは別に加熱エレメント支持体は平坦な基板であってもよい。さらに加熱エレメントは加熱エレメント支持体の一表面上にあってもよい。さらに加熱エレメントは加熱エレメント支持体を通り抜けてもよい。加熱エレメントは加熱エレメント支持体に包まれてもよい。さらに加熱エレメント支持体は穴を有する基板であってもよい。
　【００２７】
　別の実施態様では液体貯蔵部と、液体を液体貯蔵部から液体を気化させるための加熱エレメントに吸い上げるように構成された吸い上げエレメントと、気化された液体が通過する空気出口と、加熱エレメント支持体とを含む電子蒸気供給装置が提供され、隙間が加熱エレメントと加熱エレメント支持体との間に設けられている。電子蒸気供給装置は加熱エレメントに動力を供給するための動力電池を含んでもよい。
　【００２８】
　図１を参照するとマウスピース２と胴体３とを含む電子紙巻きタバコ１の形状の電子蒸気供給装置１の実施態様が示されている。電子紙巻きタバコ１は円筒形状を有する従来の紙巻きタバコのような形状である。マウスピース２は空気出口４を有し、電子紙巻きタバコ１は、ユーザーが電子紙巻きタバコ１のマウスピース２を口に入れて、空気出口４を介して空気を引き込みながら吸入すると作動する。マウスピース２および胴体３は両方とも円筒状であり、互いに同軸に接続して従来の紙巻きタバコの形状になるように構成されている。
　【００２９】
　図２は図１の電子紙巻きタバコ１の一例を示している。胴体３はバッテリー装置５部分と気化器６部分を含む２つの着脱自在の部品を含み、マウスピース２は液体貯蔵部７を含む。電子紙巻きタバコ１は組み立てられた状態に示されており、着脱自在の部品２、５、６がマウスピース２、気化器６、バッテリー装置５の順番で接続される。液体は液体貯蔵部７から気化器６へと吸い上げられる。バッテリー装置５はバッテリー装置５と気化器６との相互電気接続を介して気化器６に電力を供給する。気化器６は吸い上げられた液体を気化させ、その蒸気が空気出口４を通って出る。液体は例えばニコチン溶液であってもよい。
　【００３０】
　バッテリー装置５は、バッテリー装置ケーシング８と、動力電池９と、電気接触部１０と制御回路１１とを含む。
　【００３１】
　バッテリー装置ケーシング８は、第１端部１２で開口した中空の円筒である。例えば、バッテリー装置ケーシング８はプラスチックであってもよい。電気接触部１０はケーシング８の第１端部１２に位置し、動力電池９および制御回路１１はケーシング８の空洞内に位置する。動力電池９は、例えばリチウム電池であってもよい。
　【００３２】
　制御回路１１は圧力センサー１３とコントローラー１４とを含み、動力電池９によって動力が供給される。コントローラー１４は圧力センサー１３とインターフェースを取り、動力電池９から気化器６への電力の供給を制御するように構成されている。
　【００３３】
　気化器６は気化器ケーシング１５と、電気接触部１６と、加熱エレメント１７と、吸い上げエレメント１８と、気化キャビティー１９と、加熱エレメント支持体２０とを含む。
　【００３４】
　気化器ケーシング１５は空気入り口２１を有する両端が開口した中空の円筒である。例えば気化器ケーシング１５はアルミニウム合金で形成してもよい。空気入り口２１は気化器ケーシング１５の第１端部２２で気化器ケーシング１５に設けられた穴である。電気接触部１６は気化器ケーシング１５の第１端部２２に位置している。
　【００３５】
　気化器ケーシング１５の第１端部２２は、バッテリー装置ケーシング８の第１端部１２取り外し自在に接続されていて、気化器の電気接触部１６がバッテリー装置の電気接触部１０に電気的に接続されている。例えば、装置１は気化器ケーシング１５がねじ式接続によってバッテリー装置ケーシング８に接続するように構成してもよい。
　【００３６】
　図４および６に例示するように加熱エレメント１７は、一本のワイヤーで形成され、加熱エレメントコイル２３および２本のリード線２４を含む。例えば、加熱エレメントはニクロムで形成されてもよい。コイル２３はワイヤーが軸Ａを中心に螺旋に形成されるワイヤーの部分である。コイル２３の両端でワイヤーはその螺旋形状から離れ、リード線２４を供する。リード線２４は電気接触部１６に接続され、これにより動力電池９によって供される電力をコイル２３に送るように構成されている。
　【００３７】
　コイル２３のワイヤーの直径は約０．１２ｍｍである。コイル２３の長さは約２５ｍｍであり、内径は約１ｍｍであり、螺旋ピッチは約４２０ミクロメートル。コイルの連続するターン間の空隙は従って約３００ミクロメートルである。
　【００３８】
　加熱エレメント１７は気化器ケーシング１５の第２端部２５の方に位置し、コイル２３の軸Ａが気化器ケーシング１５の円筒軸Ｂに直角になるように配向されている。加熱エレメント１７は、従って電子紙巻きタバコ１の長手方向軸Ｃに対して直角である。さらに装置１は、ユーザーが装置で吸い込みを行うときに装置を流れる空気流に対してコイルの軸Ａが実質的に直交するように構成されている。ユーザーによる装置１の使用については下記でより具体的に説明する。
　【００３９】
　吸い上げエレメント１８はマウスピース２の液体貯蔵部７と接触する気化器ケーシング１５から延びている。吸い上げエレメント１８は、マウスピース２の液体貯蔵部７から加熱エレメント１７へと方向Ｗに液体を吸い上げるように構成されている。より具体的には吸い上げエレメント１８は、コイル２３の第１端部から延び、気化器ケーシング１５の第２端部２５を通過し、コイルの第２端部に戻る多孔性材料からなる弓状部を含む。例えば、多孔性材料はニッケル発泡体であってもよく、発砲体の多孔度は後述する吸い上げが生じるような多孔度である。
　【００４０】
　気化キャビティー１９は、液体が気化される気化器ケーシング１５の空洞にある領域である。加熱エレメント１７、加熱エレメント支持体２０および吸い上げエレメント１８の一部２６は気化キャビティー１９内に配置されている。
　【００４１】
　加熱エレメント支持体２０は、加熱エレメント１７を支持し、加熱エレメント１７による液体の気化を促すように構成されている。加熱エレメント支持体２０は内方支持体であり、図５および６に例示されている。支持体２０はセラミック材からなる硬質の筒である。支持体２０は加熱エレメントコイル２３の螺旋内に同軸に配置され、コイル２３より僅かに長く、これにより支持体２０の両端がコイル２３の両端から突出している。円筒状支持体２０の直径は螺旋の内径とほぼ同じである。その結果、コイル２３のワイヤーは支持体２０と実質的に接触し、これにより支持され、コイル２３の形状の維持しやすくなる。加熱エレメントコイル２３は、加熱エレメント支持体２０の周りにコイル状に巻かれる、または支持体を包む。支持体２０と加熱エレメント１７のコイルとの組み合わせによって図５および６に例示するように加熱ロッド２７を供する。加熱ロッドについては図５および６を参照して下記に詳しく説明する。
　【００４２】
　支持体２０の表面２８は、液体の供給を良好にしながら、吸い上げエレメント１８から気化のための加熱エレメント１７に液体を吸い上げるルートを供給する。支持体２０の表面２８は吸い上げられた液体を加熱エレメント１７の熱に晒す表面領域も提供する。
　【００４３】
　マウスピース２はマウスピースケーシング２９を含む。マウスピースケーシング２９は、中空の円筒であり、第１端部３０で開口し、ケーシングの第２端部３１の穴である空気出口４を含む。マウスピースケーシングは、例えば、プラスチックで形成してもよい。
　【００４４】
　液体貯蔵部７はマウスピースケーシング２９の空洞内に配置されている。例えば、液体貯蔵部は発泡体を含んでもよく、発砲体は気化を意図する液体で満たされる。液体貯蔵部７の断面積は、マウスピースケーシングの空洞より小さく、これによりマウスピースケーシング
２９
　【００４５】
　マウスピースケーシング２９の第１端部３０は、気化器ケーシング１５の第２端部２５に取り外し自在に接続されており、これにより液体貯蔵部７は気化器６から突出した吸い上げエレメント１８の部分３３と接触する。
　【００４６】
　液体は液体貯蔵部７から吸い上げエレメント１８によって吸収され、吸い上げエレメント１８を介してルートＷに沿って吸い上げられる。その後液体は、吸い上げエレメント１８から加熱エレメント１７のコイル２３上におよびコイルに沿って、そして支持体２０上におよび支持体に沿って吸い上げられる。
　【００４７】
　マウスピースケーシング２９、気化器ケーシング１５およびバッテリー装置ケーシング８の隣接する中空の内部によって形成された連続した内方キャビティー３４が電子紙巻きタバコ１内に存在する。
　【００４８】
　使用の際、ユーザーはマウスピース２の第２端部３１で吸い込みを行う。これにより電子紙巻きタバコ１の内方キャビティー３４内、特に空気出口４で空気圧の降下が生じる。
　【００４９】
　内方キャビティー３４内の圧力降下は圧力センサー１３によって検知される。圧力センサーによる圧力降下の検知に応じて、コントローラー１４は動力電池９から電気接触部１０、１６を介して加熱エレメント１７に電力を供給する。加熱エレメント１７のコイルは、従って熱くなる。コイル１７が熱くなると、気化キャビティー１９内の液体が気化される。より具体的には加熱エレメント１７上の液体が気化され、加熱エレメント支持体２０上の液体が気化され、加熱エレメント１７の間近にある吸い上げエレメント１８の部分２６の液体も気化させてもよい。
　【００５０】
　また内方キャビティー３４内の圧力降下によって、電子紙巻きタバコ１の外側からの空気が空気入り口２１から内方キャビティーを介してルートＦに沿って空気出口４へと引き込まれる。空気がルートＦに沿って引き込まれると、気化キャビティー１９と空気経路３２を通過する。気化された液体は、従って空気経路３２に沿った空気の移動によって搬送され、空気出口４から出て、ユーザーに吸入される。
　【００５１】
　気化された液体を含む空気が空気出口４に搬送されると、蒸気の一部は、濃縮し、空気流内に微細な液滴の懸濁液を製する。さらにマウスピース２でユーザーが吸い込みを行うと気化器６を通って移動する空気が吸い上げエレメント１８、加熱エレメント１７および／または加熱エレメント支持体２０から微細な液滴を持ち上げることができる。出口を通過した空気は、従って微細な液滴と気化された液体のエアロゾルを含む。
　【００５２】
　また気化キャビティー１９内の圧力降下は、液体貯蔵部７から吸い上げエレメント１８に沿って気化キャビティー１９内への液体の吸い上げをさらに促進させる。
　【００５３】
　図３は図１の電子紙巻きタバコ１のさらなる例を示す。胴体３は単一の部品であり、ここではバッテリー装置５０と称し、マウスピース２は液体貯蔵部５１と気化器５２とを含む。電子紙巻きタバコ１は組み立てられた状態に示されており、着脱自在の部品２、５０が接続されている。液体は液体貯蔵部５１から気化器５２へと吸い上げられる。バッテリー装置５０は、バッテリー装置５０とマウスピース２との相互電気接続を介して気化器５２に電力を供給する。気化器５２は吸い上げられた液体を気化し、その蒸気は空気出口４から出る。液体は、例えばニコチン溶液であってもよい。
　【００５４】
　バッテリー装置５０は、バッテリー装置ケーシング５３と、動力電池５４と、電気接触部５５と制御回路５６とを含む。
　【００５５】
　バッテリー装置ケーシング５３は第１端部５７で開口した中空の円筒である。例えば、バッテリー装置ケーシングはプラスチックであってもよい。電気接触部５５はケーシング５３の第１端部５７に位置し、動力電池５４および制御回路５６はケーシング５３の空洞内に位置している。動力電池５４はリチウム電池であってもよい。
　【００５６】
　制御回路５６は、空気圧センサー５８とコントローラー４９とを含み、動力電池５４によって動力が供給される。コントローラー４９は、空気圧センサー５８とインターフェースを取り、電気接触部５５を介した動力電池５４から気化器５２への電力の供給を制御するように構成されている。
　【００５７】
　マウスピース２はさらにマウスピースケーシング５９と電気接触部６０とを含む。マウスピースケーシング５９は、第１端部６１で開口し、ケーシング５９の第２端部６２の穴である空気出口４を有する中空の円筒である。またマウスピースケーシング５９は、ケーシング５９の第１端部６１の近くに位置する穴である空気入り口６３を含む。例えば、マウスピースケーシングはアルミニウムで形成してもよい。
　【００５８】
　電気接触部６０はケーシング５９の第１端部に位置している。さらにマウスピースケーシング５９の第１端部６１は、バッテリー装置ケーシング５３の第１端部５７に取り外し自在に接続されていて、マウスピースの電気接触部６０はバッテリー装置の電気接触部５５と電気的に接続されるようになっている。例えば、装置１はマウスピースケーシング５９がバッテリー装置ケーシング５３にねじ止め接続によって接続するように構成してもよい。
　【００５９】
　液体貯蔵部５１は中空のマウスピースケーシング５９内でケーシング５９の第２端部６２の方に配置されている。液体貯蔵部５１は液体内に配置される多孔性材料からなる円筒状の管である。液体貯蔵部５１の外周はマウスピースケーシング５９の内周と合致する。中空の液体貯蔵部５１は空気経路６４を供する。例えば、液体貯蔵部５１の多孔性材料は発泡体を含んでもよく、発砲体は気化される液体で実質的に満たされる。
　【００６０】
　気化器５２は加熱エレメント１７と、吸い上げエレメント６５と、加熱エレメント支持体２０と気化キャビティー６６とを含む。
　【００６１】
　吸い上げエレメント６５は多孔性材料からなる円柱管であり、マウスピースケーシング５９内でケーシング５９の第１端部６１の方に配置されていて、液体貯蔵部５１と当接するようになっている。吸い上げエレメント６５の外周はマウスピースケーシング５９の内周と合致する。吸い上げエレメント６５は液体を方向Ｗにマウスピース２の液体貯蔵部５１から加熱エレメント１７に吸い上げるように構成されている。吸い上げエレメント６５の多孔性材料は、例えば、ニッケル発泡体であってもよく、その発砲体の多孔度は、上述した吸い上げが生じるような多孔度である。液体Ｗが液体貯蔵部６から吸い上げエレメント６５に吸い上げられると、液体を吸い上げエレメント６５の多孔性材料に貯蔵することができる。従って、吸い上げエレメント６５は液体貯蔵部５１の延長部である。
　【００６２】
　図４および６に例示するように加熱エレメント１７は一本のワイヤーで形成され、加熱エレメントコイル２３および２本のリード線２４を含む。例えば、加熱エレメントはニクロムで形成されてもよい。コイル２３はワイヤーが軸Ａを中心に螺旋に形成されるワイヤーの部分である。コイル２３の両端でワイヤーはその螺旋形状から離れ、リード線２４を供する。リード線２４は電気接触部１６に接続され、これにより動力電池９によって供される電力をコイル２３に送るように構成されている。
　【００６３】
　コイル２３のワイヤの直径は約０．１２ｍｍである。コイル２３の長さは約２５ｍｍであり、内径は約１ｍｍであり、螺旋ピッチは約４２０ミクロメートル。コイルの連続するターン間の空隙は従って約３００ミクロメートルである。
　【００６４】
　加熱エレメント１７は吸い上げエレメント６５の管の内側に位置し、コイル２３の軸がマウスピースケーシング５９の円筒軸Ｂに直角になるように配向されている。加熱エレメント１７の軸Ａは、従って電子紙巻きタバコ１の長手方向軸Ｃに対して直角である。さらに装置１は、ユーザーが装置で吸い込みを行うときに装置を流れる空気流Ｆに対してコイルの軸Ａが実質的に直交するように構成されている。ユーザーによる装置１の使用については下記でより具体的に説明する。
　【００６５】
　図３Ａはコイル２３でのマウスピース２の断面を示している。図３Ａに例示するように吸い上げエレメント６５の断面輪郭は、吸い上げエレメント６５の内面６５ｂの部分６５ａがコイル２３と接触するように構成されている。これにより吸い上げエレメント６５からコイル２３に吸い上げられる液体のルートが設けられる。
　【００６６】
　気化キャビティー６６は液体が気化されるマウスピースケーシング５９の空洞内のである。加熱エレメント１７、加熱エレメント支持体２０および吸い上げエレメント６５の一部６７は気化キャビティー６６内に配置されている。
　【００６７】
　加熱エレメント支持体２０は、加熱エレメント１７を支持し、加熱エレメント１７による液体の気化を促すように構成されている。加熱エレメント支持体は内方の支持体であり、図５および６に例示されている。支持体２０はセラミック材からなる硬質の筒である。支持体２０は、加熱エレメントコイル２３の螺旋内に同軸に配置され、コイル２３より僅かに大きくなっているので、支持体２０の両端はコイル２３の両端から突出している。円筒状支持体２０の直径は螺旋の内径とほぼ同じである。その結果、コイル２３のワイヤは支持体２０と実質的に接触し、これにより支持され、コイル２３の形状を維持しやすくなる。加熱エレメントコイル２３は、加熱エレメント支持体２０の周りにコイル状に巻かれる、または支持体を包む。支持体２０と加熱エレメント１７のコイルとの組み合わせによって図５および６に例示するように加熱ロッド２７を供する。加熱ロッドについては図５および６を参照して下記にて詳しく説明する。
　【００６８】
　支持体２０の表面２８は、液体の供給を良好にしながら、吸い上げエレメント１８から気化のための加熱エレメント１７に液体を吸い上げるルートを供給する。支持体２０の表面２８は吸い上げられた液体を加熱エレメント１７の熱に晒す表面領域も提供する。
　【００６９】
　マウスピースケーシング５９およびバッテリー装置ケーシング５３の隣接する中空の内部によって形成された連続した内方キャビティー６８が電子紙巻きタバコ１内に存在する。
　【００７０】
　使用の際、ユーザーはマウスピース５９の第２端部６２で吸い込みを行う。これにより電子紙巻きタバコ１の内方キャビティー６８内、特に空気出口４で空気圧の降下が生じる。
　【００７１】
　内方キャビティー６８内の圧力降下は、圧力センサー５８によって検知される。圧力センサーによる圧力降下の検知に応じて、コントローラー４９は動力電池５４から電気接触部５５、６０を介して加熱エレメント１７に電力を供給する。加熱エレメント１７のコイルは、従って熱くなる。コイル１７が熱くなると、気化キャビティー６６内の液体が気化される。より具体的には加熱エレメント１７上の液体が気化され、加熱エレメント支持体２０上の液体が気化され、加熱エレメント１７の間近にある吸い上げエレメント６５の部分６７の液体も気化させてもよい。
　【００７２】
　また内方キャビティー６８内の圧力降下によって、電子紙巻きタバコ１の外側からの空気が空気入り口６３から内方キャビティーを介してルートＦに沿って空気出口４へと引き込まれる。空気がルートＦに沿って引き込まれると、気化された液体を拾いながら気化キャビティー６６そして空気経路６４を通過する。気化された液体は、従って空気経路６４に沿った空気の移動によって搬送され、空気出口４から出て、ユーザーに吸入される。
　【００７３】
　気化された液体を含む空気が空気出口４に搬送されると、蒸気の一部は、濃縮し、空気流内に微細な液滴の懸濁液を製する。さらにマウスピース２でユーザーが吸い込みを行うと気化器５２を通って移動する空気が吸い上げエレメント６５、加熱エレメント１７および／または加熱エレメント支持体２０から微細な液滴を持ち上げることができる。出口を通過した空気は、従って微細な液滴と気化された液体のエアロゾルを含む。
　【００７４】
　図５および６を参照すると、加熱エレメント支持体２０の円周方向外面２８に窪みが設けられていて、複数の窪み７０または凹部が表面２８に存在している。複数の窪み７０が設けられていることを考慮すると、支持体２０は実質的に円筒状である。
　【００７５】
　加熱エレメント２０とコイル２３との間のコイル２３が表面２８の窪み７０と重なるところで隙間８０が形成されている。より具体的には、コイル２３のワイヤーが表面２８の窪み７０上を通過するところで、隙間８０がワイヤーが実質的にその螺旋形状を維持することによりワイヤーとワイヤーの真下の表面２８の領域との間に設けられている。隙間８０は、従って支持体２０の表面２８とコイル２３のワイヤーとの間でコイルの軸Ａから半径方向に配置されている。各隙間８０でのワイヤーと表面２８との間の距離は、１０ミクロメートル〜５００ミクロメートルの範囲内である。隙間８０は、隙間８０での毛管現象によって支持体２０の長さ上およびこれに沿った液体の吸い上げを促進するように構成されている。
　【００７６】
　円周面２８の窪み７０および／または隙間８０は、気化する前に支持体２０の表面２８に液体が集まる領域を供し、これにより気化する前に貯蔵される液体用の領域を供する。また窪み７０は、支持体２０の表面積を大きくし、よって気化のためにコイル２３に液体を晒すために支持体２０によって供される表面積がさらに大きくなる。また窪み７０は、これらの領域において気化する量を増加させるためにより多くのコイル２３を露出させる。
　【００７７】
　上述した実施態様に多くの変更例および変形例が可能である。例えば、図７〜２４は加熱エレメント１７と加熱エレメント支持体２０の異なる構成を示している。それぞれの場合において、１つ以上の隙間８０が支持体２０の外面２８とコイル２３のワイヤの間に設けられている。これらの隙間８０は既に説明した利点を供する。図７〜２２はいかにして隙間８０が支持体２０の断面の輪郭において１つ以上の内方のずれ８１によって供され、ずれの無い箇所の輪郭がコイル２３の断面の内部輪郭となるかを示している。
　【００７８】
　図７〜１０は加熱エレメント支持体２０の異なる例を示している。図７および９は加熱エレメント支持体２０単独を異なる角度から示している。図８および１０は、支持体２０に巻かれたコイル２３を含む加熱ロッド２９を異なる角度から示している。ここで加熱エレメント支持体２０は実質的に円筒状であり、支持体２０の外面２８に支持体の長さに沿って延びた流路８２または長手方向に延びた溝８２を有する。各流路８２は加熱エレメント支持体２０の面に支持体２０の長さに沿って延びた窪み７０、８１である。４つの流路８２が加熱エレメント支持体２０の円周に等間隔で配されている。
　【００７９】
　図８および図１０に示すようにコイル２３が加熱エレメント支持体２０に巻かれると、隙間８０が経路８２の箇所の支持体２０の表面２８と経路８２と重なるコイル２３の部分のワイヤとの間に設けられる。
　【００８０】
　図１１〜２２それぞれは、コイル２３が周囲に巻かれ、コイル２３と加熱エレメント支持体２０との間に支持体２０の断面形状によって供される１つ以上の隙間８０を有する長尺の加熱エレメント支持体２０の例を示している。各例は以下に説明するように異なる断面形状を有する。断面とは支持体２０の長手方向に対して直角の面である。
　【００８１】
　図１１に示す例では加熱エレメント支持体２０は、その長さに沿って延びた１つの流路８２を含む窪み７０を有する実質的に円筒状である。従って加熱エレメント支持体２０の断面形状は、流路８２のために小さい凹み８１を有する円形である。隙間８０は、コイル２３が流路８２と重なる箇所に設けられている。
　【００８２】
　図１２に示す例では加熱エレメント支持体２０は、大部分が円形の断面形状を有する。これは長手方向に延びた窪み７０、８１を有する他の円筒形状に対応し、加熱エレメント支持体２０の長さに沿って延びた平坦な面を有する。コイル２３が加熱エレメント支持体２０の周りに巻かれているが、コイル２３のワイヤーの剛性によりコイル２３が加熱エレメント支持体２０の平坦な領域での形状をたどることはない。従って隙間８０が平坦な部分の領域において加熱エレメント支持体２０とコイル２３との間に設けられる。
　【００８３】
　図１３に示す例では加熱エレメント支持体２０は、楕円形の断面形状を有する。コイル２３は加熱エレメント支持体２０の周りに巻かれているが、コイル２３のワイヤーの剛性によりコイル２３はこの楕円より、丸みを帯びた形状を形成し、これにより加熱エレメント支持体２０とコイル２３との間に隙間８０が設けられる。
　【００８４】
　図１４に示す例では加熱エレメント支持体２０は断面形状が平坦な矩形である平坦な棒である。コイル２３は加熱エレメント支持体２０の周りに巻かれているが、コイル２３のワイヤーの剛性によりコイル２３はその矩形より、丸みを帯びた形状を形成し、これにより加熱エレメント支持体２０とコイル２３との間に隙間８０が設けられる。
　【００８５】
　図１５に示す例では加熱エレメント支持体２０は、４本の腕部が交差した断面形状を有し、これらの腕部は均一な間隔をおいて配されている。コイル２３は加熱エレメント支持体２０の周りに巻かれており、隙間８０が隣接する腕部部分とコイル２３との間に設けられる。
　【００８６】
　図１６に示す例では加熱エレメント支持体２０は、８本の腕部が交差した断面形状を有し、これら腕部は均一な間隔をおいて配されている。コイル２３は加熱エレメント支持体２０の周りに巻かれ、隙間８０が隣接する腕部部分とコイル２３との間に設けられる。
　【００８７】
　図１７〜２１は、断面形状が多角形である加熱エレメント支持体２０の例を示している。これらの例はそれぞれ辺の数が異なり、図１７は八角形、図１８は三角形、図１９は正方形、図２０は六角形、そして図２１は五角形の断面形状を示している。コイル２３は加熱エレメント支持体２０の周りに巻かれ、断面形状の角に対応する支持体２０の縁部で加熱エレメント支持体２０と接触する。このようにしてより多くの辺を有する多角形は、コイル２３と接触し、コイル２３と加熱エレメント支持体２０との間により多くの数の小さい隙間８０を供する。これにより加熱エレメント支持体２０とコイル２３との間に最適量の接触および最適な隙間８０の形成を供する断面形状の選択が可能になる。
　【００８８】
　図２２に示す例では加熱エレメント支持体２０は、３つの円が重なって１つになった断面形状を有する。コイル２３は加熱エレメント支持体２０の周りに巻かれ、隙間８０が隣接する円部分とコイル２３との間に設けられている。
　【００８９】
　各隙間８０でのワイヤと表面２８との間の距離は、上述したように１０ミクロメートル〜５００ミクロメートルの範囲内である。しかしながら、その他の大きさの隙間８０も可能である。
　【００９０】
　コイル２３のワイヤの厚みは、上述したように約０．１２ｍｍである。しかしながら、その他の直径のワイヤーも使用可能である。例えば、コイル２３のワイヤの直径は０．０５ｍｍ〜０．２ｍｍの範囲内であってもよい。さらにコイル２３の長さは上述したように異なってもよい。例えば、コイル２３の長さは２０ｍｍ〜４０ｍｍの範囲内でもよい。
　【００９１】
　コイル２３の内径は上述したように異なってもよい。例えば、コイル２３の内径は０．５ｍｍ〜２ｍｍの範囲内でもよい。
　【００９２】
　コイル２３の螺旋ピッチは上述したように異なってもよい。例えば、ピッチは１２０ミクロメートル〜６００ミクロメートルの間であってもよい。
　【００９３】
　さらにコイルターン間の隙間の距離は約３００と上記で説明したが、異なる隙間距離も可能である。例えば、隙間は２０ミクロメートル〜５００ミクロメートルの間であってもよい。
　【００９４】
　隙間８０の大きさは上述したように異なってもよい。
　【００９５】
　流路８２が加熱エレメント支持体２０に設けられている場合、１つまたは４つ以外の数の流路を設けてもよい。
　【００９６】
　流路８２は円筒状の支持体２０の表面２８に沿った長手方向に延びた溝として説明した。しかしながら、流路８２は、例えば、これとは別にまたは加えて円筒状の支持体２０の表面２８で支持体の軸を中心に螺旋状になった螺旋溝であってもよい。これとは別にまたは加えて流路８２は支持体２０の表面２８の周囲に位置するリングであってもよい。
　【００９７】
　いくつかの実施態様では支持体２０は、コイル２３の両端から突出するようにコイル２３より僅かに長いと説明した。これとは別に支持体２０はコイル２３より短く、従ってコイルの境界内で全体が収まるようにしてもよい。
　【００９８】
　加熱エレメント１７はコイル２３であることに限定されず、ジグザク形状などの別のワイヤー形状であってもよい。
　【００９９】
　加熱ロッド２９は長尺の加熱エレメント支持体２０を含み、これにコイル２３が巻かれ、多角形である支持体２０の断面形状によりコイル２３と加熱エレメント支持体２０との間に設けられたいつ以上の隙間を有すると上述している。この場合、加熱エレメント支持体の断面形状２０は、例えば３辺、４辺、５辺、６辺または８辺の多角形であってもよい。
　【０１００】
　加熱エレメント支持体２０は円筒状であればよく、円筒でなくてもよい。
　【０１０１】
　図２３および２４はさらに別の種類の加熱エレメント支持体２０の例を示している。ここでもいずれの場合において、支持体２０は支持体２０と加熱エレメント１７との間に自然に隙間８０ができる形状になっている。これらの隙間８０によって吸い上げ、液体の貯蔵および気化がしやすくなる。
　【０１０２】
　図２３には加熱エレメント支持体２０と加熱エレメント１７が示されている。加熱エレメント支持体２０は、実質的に平坦な基板であり、加熱エレメント１７が基板の表面上にジグザク形状に配置されており、所定の基板の表面積に対して加熱エレメント１７を最大限にしている。加熱エレメント支持体２０は基板開口部８３を有し、加熱エレメント１７が基板開口部８３と重なると、隙間８０が加熱エレメント支持体２０と加熱エレメント１７との間に形成される。
　【０１０３】
　図２４は図２３に示したものと類似する例を示している。加熱エレメント支持体２０は、基板開口部８３とジグザク状の加熱エレメント１７を含む平坦な基板である。この例では基板開口部８３は、ジグザク状の加熱エレメント１７の転換点に位置し、加熱エレメント１７のワイヤーは対応するターンの箇所で基板開口部８３に出入りし、これにより加熱エレメント１７が平坦な基板の両面に位置する。隙間８０が基板開口部８３が位置する所で加熱エレメント１７と基板との間に設けられている。
　【０１０４】
　いくつかの実施態様では加熱エレメント支持体２０を多孔性セラミックなどの多孔性材料から作製して支持体２０内で液体が貯蔵されるようにしてもよい。
　【０１０５】
　ここでは電子紙巻きタバコ１である電子蒸気供給装置を説明した。しかしながら、他の種類の電子蒸気供給装置も可能である。
　【０１０６】
　電子紙巻きタバコ１は上述した部材の順番に限定されず、制御回路１１、５６が装置の先端に位置する、または液体貯蔵部７、５１がマウスピース２ではなく、電子紙巻きタバコ１の胴体３に位置するなど他の順番も採用することができる。
　【０１０７】
　気化器６、５２は電子紙巻きタバコ１の胴体３の一部を形成してもよい。
　【０１０８】
　加熱エレメント支持体２０が基板である場合、加熱エレメント１７は基板に巻かれてもよい。さらに加熱エレメント１７は加熱エレメント支持体２０を出入りするように通過してもよい。
　【０１０９】
　圧力センサー１３、５８をここでは説明している。いくつかの実施態様では気流センサーをこれとは別にまたは加えてユーザーが装置１で吸い込みを行ったことを検知するために使用してもよい。
　【０１１０】
　ここでの気化キャビティー１９、６６についての記載を気化領域の記載として置き換えてもよい。
　【０１１１】
　図２の電子紙巻きタバコ１は、マウスピース２、気化器６およびバッテリー装置５といった３つの着脱自在の部品を含むものとして説明されている。これとは別に電子紙巻きタバコ１は、これらの部品２、６、５を１つの一体型ユニットとして組み合わせた構成としてもよい。言い換えればマウスピース２、気化器６およびバッテリー装置５は着脱自在でなくてもよい。さらなる変形例としてマウスピース２と気化器６は、１つの一体型ユニットであってもよく、または気化器６およびバッテリー装置５は、１つの一体型ユニットであってもよい。
　【０１１２】
　図３の電子紙巻きタバコ１は、マウスピース２とバッテリー装置５０を含む胴体といった２つの着脱自在の部品を含むものとして説明されている。これとは別に電子紙巻きタバコ１はこれらの部品２、５０を１つの一体型ユニットとして組み合わせた構成としてもよい。言い換えればマウスピース２および胴体３は、着脱自在でなくてもよい。
　【０１１３】
　いくつかの例を示し、説明したが、当業者には当然のことながら種々の変形例および変更例が本発明の範囲から逸脱せずに可能である。
　【０１１４】
　種々の問題の対処と技術の発展のため、本開示全体は種々の実施形態を例示的に示しており、これらの実施形態では特許請求された発明が実践され、優れた電子蒸気供給装置、を提供することができる。本開示の利点および特徴は実施形態の単なる代表的な具体例であり、包括的でも排他的でもない。これらは特許請求された特徴の理解と教示の単なる補助に提供されている。当然だが、本開示の利点、実施形態、具体例、機能、特徴、構造、および／または他の側面は本開示を特許請求の範囲に規定されたとおりに限定するあるいは特許請求の範囲の均等物に限定すると考えるべきではなく、本開示の範囲および／または思想から乖離することなく他の実施形態を利用しても改変してもよいと考えるべきである。種々の実施形態は、開示された構成要素、成分、特徴、部品、工程、手段他の組合せを適切に備えても、これらで構成されても、基本的にこれらで構成されてもよい。また本開示は、現在は特許請求されていないが将来特許請求される可能性がある他の発明を含む。
（５７）【特許請求の範囲】
　【請求項１】
　動力電池と気化器とを含み、この気化器は加熱エレメントと該加熱エレメントを支持するように構成された加熱エレメント支持体とを含み、
加熱エレメントは加熱エレメント支持体の支持体外面の上に位置し、
の支持体外面
前記加熱エレメント支持体は、多孔性セラミック材を含む硬質の支持体である
　【請求項２】
　前記加熱エレメントと加熱エレメント支持体は、加熱ロッドを形成することを特徴とする請求項１記載の電子蒸気供給装置。
　【請求項３】
（削除）
　【請求項４】
（削除）
　【請求項５】
（削除）
　【請求項６】
　前記加熱エレメントは加熱コイルであることを特徴とする
請求項１又は２に
　【請求項７】
　前記加熱コイルは加熱エレメント支持体の周りに螺旋状に巻かれていることを特徴とする請求項６記載の電子蒸気供給装置。
　【請求項８】
　コイルターンと加熱エレメント支持体との間に前記１つ以上の隙間があることを特徴とする請求項６または７記載の電子蒸気供給装置。
　【請求項９】
　前記気化器は、使用の際、負圧領域になるように構成されている気化キャビティーをさらに含むことを特徴とする
請求項１、２、６乃至８
　【請求項１０】
　前記加熱エレメントの少なくとも一部は、気化キャビティーの内側にあることを特徴とする請求項９記載の電子蒸気供給装置。
　【請求項１１】
　マウスピースセクションを含み、前記気化器はマウスピースセクションの一部であることを特徴とする
請求項１、２、６乃至１０
　【請求項１２】
　前記加熱エレメント支持体は長手方向に細長いものであることを特徴とする
請求項１、２、６乃至１１
　【請求項１３】
　前記加熱エレメント支持体はこれに沿って長手方向に延びた１つ以上の側部流路を有することを特徴とする請求項１２記載の電子蒸気供給装置。
　【請求項１４】
　前記加熱エレメント支持体は、これに沿って長手方向に延びた側部流路を２つ以上含み、これら側部流路は、加熱エレメント支持体の周りに実質的に均一に配分されていることを特徴とする請求項１３記載の電子蒸気供給装置。
　【請求項１５】
　前記加熱エレメント支持体は窪んだ表面を有することを特徴とする請求項１２記載の電子蒸気供給装置。
　【請求項１６】
　前記加熱エレメント支持体の断面形状は多角形であることを特徴とする請求項１２記載の電子蒸気供給装置。
　【請求項１７】
　前記多角形は幅の狭い矩形であることを特徴とする請求項１６記載の電子蒸気供給装置。
　【請求項１８】
　
動力電池と気化器とを含み、この気化器は加熱エレメントと該加熱エレメントを支持するように構成された加熱エレメント支持体とを含み、加熱エレメントは加熱エレメント支持体の支持体外面の上に位置し、１つ以上の隙間が加熱エレメントと加熱エレメント支持体の支持体外面との間に設けられており、前記加熱エレメント支持体は長手方向に細長いものであり、
特徴とする
　【請求項１９】
　
動力電池と気化器とを含み、この気化器は加熱エレメントと該加熱エレメントを支持するように構成された加熱エレメント支持体とを含み、加熱エレメントは加熱エレメント支持体の支持体外面の上に位置し、１つ以上の隙間が加熱エレメントと加熱エレメント支持体の支持体外面との間に設けられており、前記加熱エレメント支持体は長手方向に細長いものであり、
特徴とする
　【請求項２０】
　
動力電池と気化器とを含み、この気化器は加熱エレメントと該加熱エレメントを支持するように構成された加熱エレメント支持体とを含み、加熱エレメントは加熱エレメント支持体の支持体外面の上に位置し、１つ以上の隙間が加熱エレメントと加熱エレメント支持体の支持体外面との間に設けられており、前記加熱エレメント支持体は長手方向に細長いものであり、
特徴とする
　【請求項２１】
　
動力電池と気化器とを含み、この気化器は加熱エレメントと該加熱エレメントを支持するように構成された加熱エレメント支持体とを含み、加熱エレメントは加熱エレメント支持体の支持体外面の上に位置し、１つ以上の隙間が加熱エレメントと加熱エレメント支持体の支持体外面との間に設けられており、前記加熱エレメント支持体は長手方向に細長いものであり、前記加熱エレメント支持体の断面形状は十字形状であり、
特徴とする
　【請求項２２】
　前記加熱エレメント支持体は平坦な基板であることを特徴とする
請求項１、２、６乃至１１
　【請求項２３】
　
動力電池と気化器とを含み、この気化器は加熱エレメントと該加熱エレメントを支持するように構成された加熱エレメント支持体とを含み、加熱エレメントは加熱エレメント支持体の支持体外面の上に位置し、１つ以上の隙間が加熱エレメントと加熱エレメント支持体の支持体外面との間に設けられており、前記加熱エレメント支持体は平坦な基板であり、
特徴とする
　【請求項２４】
　
動力電池と気化器とを含み、この気化器は加熱エレメントと該加熱エレメントを支持するように構成された加熱エレメント支持体とを含み、加熱エレメントは加熱エレメント支持体の支持体外面の上に位置し、１つ以上の隙間が加熱エレメントと加熱エレメント支持体の支持体外面との間に設けられており、前記加熱エレメント支持体は平坦な基板であり、
特徴とする
　【請求項２５】
　前記加熱エレメント支持体は穴を有する基板であることを特徴とする請求項２２、２３または２４記載の電子蒸気供給装置。
　【請求項２６】
　さらに液体貯蔵部と、
　液体を液体貯蔵部から液体を気化させるための加熱エレメントに吸い上げるように構成された吸い上げエレメントと、
　加熱エレメントから気化された液体が通過する空気出口とを含み、
　前記動力電池が前記加熱エレメントに動力を与えるためのものであることを特徴とする
請求項１、２、６乃至２５
　【請求項２７】
　加熱エレメントと加熱エレメント支持体とを含み、
　
加熱エレメントは加熱エレメント支持体の支持体外面の上に位置し、
　１つ以上の隙間が加熱エレメントと該加熱エレメントを支持するように構成された加熱エレメント支持体
の支持体外面
　
前記加熱エレメント支持体は、多孔性セラミック材を含む硬質の支持体である、請求項１、２、６乃至２６